(57)【要約】水で満たされた浴槽内に設けられ、水で満たされた浴槽の他の部分から独立した水遊び空間を形成するように構成された水遊び空間仕切り部、水遊び空間内に少なくとも１つの水噴射を発生させる水噴射発生アセンブリ、および水遊び空間内の水に浮遊する少なくとも１つの装飾的な浮遊性要素を含む風呂用玩具システム。【選択図】図１Ａ
2017527316.tif 000002
【特許請求の範囲】
【請求項１】
水で満たされた浴槽内に設けられ、前記水で満たされた浴槽の他の部分から独立した水遊び空間を形成するように構成された水遊び空間仕切り部と、
前記水遊び空間内に少なくとも１つの水噴射を発生させる水噴射アセンブリと、
前記水遊び空間内の前記水に浮遊する少なくとも１つの装飾的な浮遊性要素と
を備える風呂用玩具システム。
【請求項２】
前記水遊び空間仕切り部は、浮遊水遊び空間仕切り部であり、
前記少なくとも１つの水噴射は、前記水遊び空間内の前記仕切り部の平面における非径方向分力を含み、前記少なくとも１つの装飾的な浮遊性要素に少なくとも間欠的に衝突することによって、前記仕切り部と前記少なくとも１つの装飾的な浮遊性要素を相反する方向に回転移動させる少なくとも１つの水噴射を含む、請求項１に記載の風呂用玩具システム。
【請求項３】
前記水噴射アセンブリは、前記水で満たされた浴槽内かつ前記水遊び空間の外側の場所から水を汲み上げる吸水口を有する、請求項１または請求項２に記載の風呂用玩具システム。
【請求項４】
水で満たされた水遊び空間内の水に浮遊する少なくとも１つの装飾的な浮遊性要素と、
前記水で満たされた水遊び空間内に前記水噴射アセンブリによって形成される平面における非径方向分力を含み、前記少なくとも１つの装飾的な浮遊性要素に少なくとも間欠的に衝突することによって、前記水噴射アセンブリと前記少なくとも１つの装飾的な浮遊性要素を相反する方向に回転移動させる少なくとも１つの水噴射を発生させる浮遊性かつ回転可能な水噴射アセンブリと
を備える風呂用玩具システム。
【請求項５】
前記少なくとも１つの装飾的な浮遊性要素は、前記水噴射アセンブリと係合して水噴射を受けるように選択的に載置することができ、その少なくとも第１の位置で受ける第１の空間構成を有する水噴射を、前記第１の空間構成とは異なるその少なくとも第２の位置で放出される第２の空間構成を有する水噴射に変換するように機能する、請求項１〜請求項４のいずれかに記載の風呂用玩具システム。
【請求項６】
前記水噴射アセンブリは、前記水遊び空間内の水位より上に前記少なくとも１つの水噴射を発生させ、
前記水噴射アセンブリは、少なくとも第２の水噴射も発生させ、
前記複数の装飾的な浮遊性要素は、前記水で満たされた水遊び空間内の前記水に浮遊し、前記少なくとも第２の水噴射に間欠的に衝突され、
前記複数の互いに異なって装飾的な噴射変調物体の各々は、前記第１の位置から前記少なくとも第２の位置へ伸長する少なくとも１つのほぼ垂直な水噴射横断水路を形成する、請求項５に記載の風呂用玩具システム。
【請求項７】
少なくとも部分的に水で満たされた水遊び空間内に少なくとも１つの水噴射を発生させる水噴射アセンブリと、
前記水噴射アセンブリと係合して水噴射を受けるように選択的に載置することができ、その少なくとも第１の位置で受ける第１の空間構成を有する水噴射を、前記第１の空間構成とは異なるその少なくとも第２の位置で放出される第２の空間構成を有する水噴射に変換するように機能する、少なくとも１つの装飾的な沈まず傾かない浮遊噴射変調物体と
を備える風呂用玩具システム。
【請求項８】
少なくとも部分的に水で満たされた水遊び空間内に少なくとも１つの水噴射を発生させる水噴射アセンブリと、
少なくとも１つの装飾的な自走回転噴射変調物体であって、前記水噴射アセンブリと係合して水噴射を受けるように載置することができ、前記少なくとも１つの水噴射と動作可能に係合して載置されると自走回転し、その少なくとも第１の位置で受ける第１の空間構成を有する水噴射を、前記第１の空間構成とは異なるその少なくとも第２の位置で放出される第２の空間構成を有する少なくとも１つの第１の水噴射および前記物体の回転が生じるように向けられた少なくとも１つの第２の水噴射に変換するように機能する少なくとも１つの装飾的な自走回転噴射変調物体と
を備える風呂用玩具システム。
【請求項９】
前記水遊び空間は無限ループを形成し、
前記少なくとも１つの装飾的な噴射変調物体は、無限ループを形成する前記少なくとも部分的に水で満たされた水遊び空間内に浮遊し、前記水噴射アセンブリによって発生する少なくとも１つの水噴射によって、前記無限ループに沿ったループ状の動きで動かされる、請求項７または請求項８に記載の風呂用玩具システム。
【請求項１０】
前記少なくとも１つの装飾的な要素は複数の装飾的な要素を含み、前記複数の装飾的な要素は、
複数の互いに異なって装飾的な噴射変調物体、および
各々が他の１つによって生じるものとは異なる空間構成を有する水噴射を生成する、複数の装飾的な浮遊性噴射変調物体
の少なくとも１つを備え、請求項７〜請求項９のいずれかに記載の風呂用玩具システム。
【請求項１１】
前記水噴射アセンブリは、浮遊し、少なくとも１つの装飾的な浮遊性要素に少なくとも間欠的に衝突することによって前記水噴射アセンブリ仕切り部と前記少なくとも１つの装飾的な浮遊性要素とを相反する方向に回転移動させる少なくとも１つの水噴射を発生させるように機能するように適合される、請求項７〜請求項１０のいずれかに記載の風呂用玩具システム。
【請求項１２】
前記水噴射アセンブリの複数の動作パラメータを制御する、子供が操作可能なジョイスティックも備える、請求項１〜請求項１１のいずれかに記載の風呂用玩具システム。
【請求項１３】
少なくとも部分的に水で満たされた水遊び空間内に少なくとも１つの水噴射を発生させる水噴射アセンブリと、
前記水噴射アセンブリの複数の動作パラメータを制御する、子供が操作可能なジョイスティックと
を備える風呂用玩具システム。
【請求項１４】
可聴出力および可視出力の少なくとも１つを供給するマルチメディア発生器も備え、
前記子供が操作可能なジョイスティックは、前記マルチメディア発生器の動作も制御する、請求項１３に記載の風呂用玩具システム。
【請求項１５】
前記子供が操作可能なジョイスティックは、
律動水噴射または連続水噴射、
少なくとも様々な振幅の律動噴射の時間パターン、および
前記水噴射アセンブリによって生じる水噴射の振幅
の少なくとも１つを選択するように機能する、請求項１２〜請求項１４のいずれかに記載の風呂用玩具システム。
【請求項１６】
前記水噴射アセンブリの少なくとも１つの動作パラメータと時間協調して可聴出力および視覚出力を供給するように機能する、噴射パラメータ連動型音響および光発生システムも備える、請求項１〜請求項１５のいずれかに記載の風呂用玩具システム。
【発明の詳細な説明】
【技術分野】
【０００１】
本出願において、２０１４年９月１０日に出願された“ＷＡＴＥＲ  ＴＯＹ”と題された米国特許仮出願第６２／０４８，６７０号が参照され、その開示は参照によって本願に組み込まれ、その優先権は３７Ｃ．Ｆ．Ｒ．１．７８（ａ）（４）および（５）（ｉ）に基づき本願によって主張されるものである。
【０００２】
本発明は、幼児向け水上玩具に関する。
【背景技術】
【０００３】
様々な種類の水上玩具が知られている。
【発明の概要】
【発明が解決しようとする課題】
【０００４】
本発明は、特に幼児向けの改善された水上玩具を供給しようと努める。
【課題を解決するための手段】
【０００５】
したがって、本発明の好適な実施形態に従って、水で満たされた浴槽内に設けられ、水で満たされた浴槽の他の部分から独立した水遊び空間を形成するように構成された水遊び空間仕切り部、水遊び空間内に少なくとも１つの水噴射を発生させる水噴射アセンブリ、および水遊び空間内の水に浮遊する少なくとも１つの装飾的な浮遊性要素を含む風呂用玩具システムが供給される。
【０００６】
好適には、水遊び空間仕切り部は、浮遊水遊び空間仕切り部であり、少なくとも１つの水噴射は、水遊び空間内の仕切り部の平面における非径方向分力を含み、少なくとも１つの装飾的な浮遊性要素に少なくとも間欠的に衝突することによって仕切り部と少なくとも１つの装飾的な浮遊性要素とを相反する方向に回転移動させる少なくとも１つの水噴射を含む。代替または追加として、水噴射アセンブリは、水で満たされた浴槽内かつ水遊び空間の外側の場所から水を汲み上げる吸水口を有する。
【０００７】
また、本発明の他の好適な実施形態に従って、水で満たされた水遊び空間内の水に浮遊する少なくとも１つの装飾的な浮遊性要素と、水で満たされた水遊び空間内の水噴射アセンブリによって形成される平面における非径方向分力を含み、少なくとも１つの装飾的な浮遊性要素に少なくとも間欠的に衝突することによって水噴射アセンブリと少なくとも１つの装飾的な浮遊性要素とを相反する方向に回転移動させる、少なくとも１つの水噴射を発生させる浮遊性かつ回転可能な水噴射アセンブリとを含む風呂用玩具システムも供給される。
【０００８】
本発明の好適な実施形態によると、少なくとも１つの装飾的な浮遊性要素は、水噴射アセンブリと係合して水噴射を受けるように選択的に載置することができ、その少なくとも第１の位置で受け取られる第１の空間構成を有する水噴射を、第１の空間構成とは異なるその少なくとも第２の位置で放出される第２の空間構成を有する水噴射に変換するように機能する。また、水噴射アセンブリは、水遊び空間内の水位より上に少なくとも１つの水噴射を発生させ、また少なくとも第２の水噴射も発生させ、複数の装飾的な浮遊性要素は、水で満たされた水遊び空間内の水に浮遊し少なくとも第２の水噴射に間欠的に衝突され、複数の互いに異なって装飾的な噴射変調物体の各々は、第１の位置から少なくとも第２の位置へ伸びる少なくとも１つのほぼ垂直な水噴射横断水路を形成する。
【０００９】
本発明のまた他の好適な実施形態に従って、少なくとも部分的に水で満たされた水遊び空間内に少なくとも１つの水噴射を発生させる水噴射アセンブリ、および、水噴射アセンブリと係合して水噴射を受けるように選択的に載置することができ、その少なくとも第１の位置で受け取られる第１の空間構成を有する水噴射を、第１の空間構成とは異なるその少なくとも第２の位置で放出される第２の空間構成を有する水噴射に変換するように機能する、少なくとも１つの装飾的な沈まず傾かない浮遊噴射変調物体を含む風呂用玩具システムがさらに供給される。
【００１０】
本発明のまた他の好適な実施形態に従って、少なくとも部分的に水で満たされた水遊び空間内に少なくとも１つの水噴射を発生させる水噴射アセンブリと、水噴射アセンブリと係合して水噴射を受けるように選択的に載置することができ、少なくとも１つの水噴射と動作可能に係合するように載置されると自走回転し、その少なくとも第１の位置で受け取られる第１の空間構成を有する水噴射を、第１の空間構成とは異なるその少なくとも第２の位置で放出される第２の空間構成を有する少なくとも１つの第１の水噴射および物体を回転させるように方向付けられた第２の水噴射に変換するように機能する少なくとも１つの装飾的な自走回転噴射変調物体を含む風呂用玩具システムがさらに供給される。
【００１１】
好適には、水遊び空間は無限ループを形成し、少なくとも１つの装飾的な噴射変調物体は、無限ループを形成する少なくとも部分的に水で満たされた水遊び空間内に浮遊し、水噴射アセンブリによって発生する少なくとも１つの水噴射によって、無限ループに沿ったループ状の動きで動かされる。追加または代替として、少なくとも１つの装飾的な要素は複数の装飾的な要素を含み、複数の装飾的な要素は、複数の互いに異なって装飾的な噴射変調物体および複数の装飾的な浮遊性噴射変調物体の少なくとも１つを含み、複数の装飾的な噴射変調物体の各々は、複数の装飾的な噴射変調物体の他の１つによって生じるものとは異なる空間構成を有する水噴射を生成する。
【００１２】
本発明の好適な実施形態によると、水噴射アセンブリは、浮遊し、少なくとも１つの装飾的な浮遊性要素に少なくとも間欠的に衝突することによって水噴射アセンブリ仕切り部と少なくとも１つの装飾的な浮遊性要素とを相反する方向に回転移動させる少なくとも１つの水噴射を発生させるように機能するように適合される。
【００１３】
好適には、風呂用玩具システムは、水噴射アセンブリの複数の動作パラメータを制御する、子供が操作可能なジョイスティックも含む。
【００１４】
本発明の追加の好適な実施形態に従って、少なくとも部分的に水で満たされた水遊び空間内に少なくとも１つの水噴射を発生させる水噴射アセンブリ、および水噴射アセンブリの複数の動作パラメータを制御する子供が操作可能なジョイスティックを含む風呂用玩具システムも供給される。
【００１５】
本発明の好適な実施形態によると、風呂用玩具システムは、可聴出力および可視出力の少なくとも１つを供給するマルチメディア発生器も含み、子供が操作可能なジョイスティックは、マルチメディア発生器の動作も制御する。
【００１６】
好適には、子供が操作可能なジョイスティックは、律動水噴射または連続水噴射の少なくとも１つ、少なくとも様々な振幅の律動噴射の時間パターン、および水噴射アセンブリによって生じる水噴射の振幅を選択するように機能する。
【００１７】
本発明の好適な実施形態によると、風呂用玩具システムは、水噴射アセンブリの少なくとも１つの動作パラメータと時間協調して可聴出力および視覚出力を供給するように機能する、噴射パラメータ連動型音響および光発生システムも含む。
【００１８】
本発明は、以下の詳細な説明によって、より完全に理解され認識される。
【図面の簡単な説明】
【００１９】
【図１Ａ】本発明の実施形態に従って構成され動作可能な水上玩具のそれぞれ簡略化された立体図および機能図であり、図１Ｂは図１Ａの直線Ｂ〜Ｂに沿って示される。
【図１Ｂ】本発明の実施形態に従って構成され動作可能な水上玩具のそれぞれ簡略化された立体図および機能図であり、図１Ｂは図１Ａの直線Ｂ〜Ｂに沿って示される。
【図２Ａ】本発明の他の実施形態に従って構成され動作可能な水上玩具のそれぞれ簡略化された立体図および機能図であり、図２Ｂは図２Ａの直線Ｂ〜Ｂに沿って示される。
【図２Ｂ】本発明の他の実施形態に従って構成され動作可能な水上玩具のそれぞれ簡略化された立体図および機能図であり、図２Ｂは図２Ａの直線Ｂ〜Ｂに沿って示される。
【図３Ａ】本発明のまた他の実施形態に従って構成され動作可能な水上玩具のそれぞれ簡略化された立体図および機能図であり、図３Ｂは図３Ａの直線Ｂ〜Ｂに沿って示される。
【図３Ｂ】本発明のまた他の実施形態に従って構成され動作可能な水上玩具のそれぞれ簡略化された立体図および機能図であり、図３Ｂは図３Ａの直線Ｂ〜Ｂに沿って示される。
【図４Ａ】本発明のまた他の実施形態に従って構成され動作可能な水上玩具のそれぞれ簡略化された立体図および機能図であり、図４Ｂは図４Ａの直線Ｂ〜Ｂに沿って示される。
【図４Ｂ】本発明のまた他の実施形態に従って構成され動作可能な水上玩具のそれぞれ簡略化された立体図および機能図であり、図４Ｂは図４Ａの直線Ｂ〜Ｂに沿って示される。
【図５Ａ】本発明のまた他の実施形態に従って構成され動作可能な水上玩具のそれぞれ簡略化された立体図および機能図であり、図５Ｂは図５Ａの直線Ｂ〜Ｂに沿って示される。
【図５Ｂ】本発明のまた他の実施形態に従って構成され動作可能な水上玩具のそれぞれ簡略化された立体図および機能図であり、図５Ｂは図５Ａの直線Ｂ〜Ｂに沿って示される。
【図６Ａ】本発明のまた他の実施形態に従って構成され動作可能な水上玩具のそれぞれ簡略化された立体図および機能図であり、図６Ｂは図６Ａの直線Ｂ〜Ｂに沿って示される。
【図６Ｂ】本発明のまた他の実施形態に従って構成され動作可能な水上玩具のそれぞれ簡略化された立体図および機能図であり、図６Ｂは図６Ａの直線Ｂ〜Ｂに沿って示される。
【図７Ａ】本発明の好適な実施形態に従って構成され動作可能なジョイスティック操作型水上玩具の３つの操作方向の簡略化された立体図である。
【図７Ｂ】本発明の好適な実施形態に従って構成され動作可能なジョイスティック操作型水上玩具の３つの操作方向の簡略化された立体図である。
【図７Ｃ】本発明の好適な実施形態に従って構成され動作可能なジョイスティック操作型水上玩具の３つの操作方向の簡略化された立体図である。
【図７Ｄ】それぞれ図７Ａ、図７Ｂ、および図７Ｃに示す操作方向に対応する、ジョイスティック操作型玩具の一部の３つの操作方向の拡大図である。
【図７Ｅ】それぞれ図７Ａ、図７Ｂ、および図７Ｃに示す操作方向に対応する、ジョイスティック操作型玩具の一部の３つの操作方向の拡大図である。
【図７Ｆ】それぞれ図７Ａ、図７Ｂ、および図７Ｃに示す操作方向に対応する、ジョイスティック操作型玩具の一部の３つの操作方向の拡大図である。
【図８Ａ】本発明の好適な実施形態に従って構成され動作可能な可変噴射水上玩具システムの２つの操作方向の簡略化された立体図である。
【図８Ｂ】本発明の好適な実施形態に従って構成され動作可能な可変噴射水上玩具システムの２つの操作方向の簡略化された立体図である。
【図８Ｃ】それぞれ図８Ａの断面線Ｃ〜Ｃおよび図８Ｂの断面線Ｄ〜Ｄに沿って示される、図８Ａおよび図８Ｂの可変噴射水上玩具システムの一部を形成する噴射発生器および装飾的な浮遊性噴射構成変調器の簡略化されたそれぞれの断面図である。
【図８Ｄ】それぞれ図８Ａの断面線Ｃ〜Ｃおよび図８Ｂの断面線Ｄ〜Ｄに沿って示される、図８Ａおよび図８Ｂの可変噴射水上玩具システムの一部を形成する噴射発生器および装飾的な浮遊性噴射構成変調器の簡略化されたそれぞれの断面図である。
【図９Ａ】本発明の他の好適な実施形態に従って構成され動作可能な可変噴射水上玩具システムの２つの操作方向の簡略化された立体図である。
【図９Ｂ】本発明の他の好適な実施形態に従って構成され動作可能な可変噴射水上玩具システムの２つの操作方向の簡略化された立体図である。
【図９Ｃ】図９Ｂの断面線Ｃ〜Ｃに沿って示される、図９Ａおよび図９Ｂの可変噴射水上玩具システムの一部を形成するベースユニットの簡略化された断面図である。
【図１０Ａ】本発明の好適な実施形態に従って構成され動作可能な水遊び空間仕切り型可変噴射玩具システムの２つの操作方向の簡略化された立体図である。
【図１０Ｂ】本発明の好適な実施形態に従って構成され動作可能な水遊び空間仕切り型可変噴射玩具システムの２つの操作方向の簡略化された立体図である。
【図１０Ｃ】図１０Ａの断面線Ｃ〜Ｃに沿って示される、図１０Ａおよび図１０Ｂの水遊び空間可変噴射玩具システムの一部を形成するベースユニットの簡略化された断面図である。
【図１１Ａ】本発明の他の好適な実施形態に従って構成され動作可能な水遊び空間仕切り型可変噴射玩具システムの２つの操作方向の簡略化された立体図である。
【図１１Ｂ】本発明の他の好適な実施形態に従って構成され動作可能な水遊び空間仕切り型可変噴射玩具システムの２つの操作方向の簡略化された立体図である。
【図１１Ｃ】図１１Ａの断面線Ｃ〜Ｃに沿って示される、図１１Ａおよび図１１Ｂの水遊び空間可変噴射玩具システムの一部を形成するベースユニットの簡略化された断面図である。
【図１２Ａ】本発明の他の好適な実施形態に従って構成され動作可能な、相反する方向の浮遊性玩具システムのそれぞれ簡略化された立体図および断面図であり、図１２Ｂは図１２Ａの直線Ｂ〜Ｂに沿って示される。
【図１２Ｂ】本発明の他の好適な実施形態に従って構成され動作可能な、相反する方向の浮遊性玩具システムのそれぞれ簡略化された立体図および断面図であり、図１２Ｂは図１２Ａの直線Ｂ〜Ｂに沿って示される。
【図１３Ａ】本発明の好適な実施形態に従って構成され動作可能な回転運動駆動型係留式玩具システムのそれぞれ簡略化された立体図および断面図であり、図１３Ｂは図１３Ａの直線Ｂ〜Ｂに沿って示される。
【図１３Ｂ】本発明の好適な実施形態に従って構成され動作可能な回転運動駆動型係留式玩具システムのそれぞれ簡略化された立体図および断面図であり、図１３Ｂは図１３Ａの直線Ｂ〜Ｂに沿って示される。
【図１４Ａ】本発明の他の好適な実施形態に従って構成され動作可能な回転運動駆動型係留式玩具システムのそれぞれ簡略化された立体図および断面図であり、図１４Ｂは図１４Ａの直線Ｂ〜Ｂに沿って示される。
【図１４Ｂ】本発明の他の好適な実施形態に従って構成され動作可能な回転運動駆動型係留式玩具システムのそれぞれ簡略化された立体図および断面図であり、図１４Ｂは図１４Ａの直線Ｂ〜Ｂに沿って示される。
【図１５Ａ】本発明の他の好適な実施形態に従って構成され動作可能な回転運動駆動型係留式玩具システムのそれぞれ簡略化された立体図および断面図であり、図１５Ｂは図１５Ａの直線Ｂ〜Ｂに沿って示される。
【図１５Ｂ】本発明の他の好適な実施形態に従って構成され動作可能な回転運動駆動型係留式玩具システムのそれぞれ簡略化された立体図および断面図であり、図１５Ｂは図１５Ａの直線Ｂ〜Ｂに沿って示される。
【図１６Ａ】本発明の実施形態に従って構成され動作可能なマルチメディアジョイスティック制御型水上玩具の５つの操作方向の簡略化された立体図である。
【図１６Ｂ】本発明の実施形態に従って構成され動作可能なマルチメディアジョイスティック制御型水上玩具の５つの操作方向の簡略化された立体図である。
【図１６Ｃ】本発明の実施形態に従って構成され動作可能なマルチメディアジョイスティック制御型水上玩具の５つの操作方向の簡略化された立体図である。
【図１６Ｄ】本発明の実施形態に従って構成され動作可能なマルチメディアジョイスティック制御型水上玩具の５つの操作方向の簡略化された立体図である。
【図１６Ｅ】本発明の実施形態に従って構成され動作可能なマルチメディアジョイスティック制御型水上玩具の５つの操作方向の簡略化された立体図である。
【図１６Ｆ】図１６Ａ〜図１６Ｅのマルチメディアジョイスティック制御型水上玩具の簡略化された部分断面表現図である。
【図１６Ｇ】図１６Ａ〜図１６Ｆのマルチメディアジョイスティック制御型水上玩具の部品の簡略化された拡大図である。
【図１７Ａ】本発明の他の好適な実施形態に従って構成され動作可能な固定式可変噴射水上玩具システムの２つの操作方向の簡略化された立体図である。
【図１７Ｂ】本発明の他の好適な実施形態に従って構成され動作可能な固定式可変噴射水上玩具システムの２つの操作方向の簡略化された立体図である。
【図１７Ｃ】図１７Ａの断面線Ｃ〜Ｃに沿って示される、図１７Ａおよび図１７Ｂの可変噴射水上玩具システムの一部を形成するベースユニットの簡略化された断面図である。
【図１８Ａ】本発明のさらに追加の代替実施形態に従って構成され動作可能な水上玩具のそれぞれ簡略化された立体図および断面図であり、図１８Ｂは図１８Ａの直線Ｂ〜Ｂに沿って示される。
【図１８Ｂ】本発明のさらに追加の代替実施形態に従って構成され動作可能な水上玩具のそれぞれ簡略化された立体図および断面図であり、図１８Ｂは図１８Ａの直線Ｂ〜Ｂに沿って示される。
【図１９Ａ】本発明のさらに追加の代替実施形態に従って構成され動作可能な水上玩具のそれぞれ簡略化された立体図および機能図である。
【図１９Ｂ】本発明のさらに追加の代替実施形態に従って構成され動作可能な水上玩具のそれぞれ簡略化された立体図および機能図である。
【図１９Ｃ】図１９Ａの断面線Ｃ〜Ｃに沿って示される、図１９Ａおよび図１９Ｂの可変噴射水上玩具システムの一部を形成するベースユニットの簡略化された断面図である。
【図２０Ａ】本発明の実施形態に従って構成され動作可能なマルチメディアジョイスティック制御型水上玩具の４つの操作方向の簡略化された立体図である。
【図２０Ｂ】本発明の実施形態に従って構成され動作可能なマルチメディアジョイスティック制御型水上玩具の４つの操作方向の簡略化された立体図である。
【図２０Ｃ】本発明の実施形態に従って構成され動作可能なマルチメディアジョイスティック制御型水上玩具の４つの操作方向の簡略化された立体図である。
【図２０Ｄ】本発明の実施形態に従って構成され動作可能なマルチメディアジョイスティック制御型水上玩具の４つの操作方向の簡略化された立体図である。
【図２０Ｅ】図２０Ａの断面線Ｅ〜Ｅに沿って示される、図２０Ａ〜図２０Ｄのマルチメディアジョイスティック制御型水上玩具の簡略化された部分断面表現図である。
【図２０Ｆ】図２０Ａ〜図２０Ｅのマルチメディアジョイスティック制御型水上玩具の部品の簡略化された拡大図である。
【図２１Ａ】本発明の他の実施形態に従って構成され動作可能なジョイスティック制御型浮遊水上玩具の４つの操作方向の簡略化された立体図である。
【図２１Ｂ】本発明の他の実施形態に従って構成され動作可能なジョイスティック制御型浮遊水上玩具の４つの操作方向の簡略化された立体図である。
【図２１Ｃ】本発明の他の実施形態に従って構成され動作可能なジョイスティック制御型浮遊水上玩具の４つの操作方向の簡略化された立体図である。
【図２１Ｄ】本発明の他の実施形態に従って構成され動作可能なジョイスティック制御型浮遊水上玩具の４つの操作方向の簡略化された立体図である。
【図２１Ｅ】図２１Ｃの断面線Ｅ〜Ｅに沿って示される、図２１Ａ〜図２１Ｄのジョイスティック制御型水上玩具の簡略化された部分断面表現図である。
【図２１Ｆ】図２１Ｃの断面線Ｆ〜Ｆに沿って示される、図２１Ａ〜図２１Ｄのジョイスティック制御型水上玩具の簡略化された部分断面表現図である。
【図２２Ａ】図８Ａ〜図８Ｄ、図９Ａ〜図９Ｃ、図１０Ａ〜図１０Ｃ、図１１Ａ〜図１１Ｃ，図１７Ａ〜図１７Ｃ、図１９Ａ〜図１９Ｃ、図２０Ａ〜図２０Ｆ、および図２１Ａ〜図２１Ｆの実施形態において有用な装飾的な沈まず傾かない浮遊自走回転物体を示しており、図２２Ｂおよび図２２Ｃは、図２２Ａの断面線Ｂ〜ＢおよびＣ〜Ｃにそれぞれ沿って示される断面図である。
【図２２Ｂ】図８Ａ〜図８Ｄ、図９Ａ〜図９Ｃ、図１０Ａ〜図１０Ｃ、図１１Ａ〜図１１Ｃ，図１７Ａ〜図１７Ｃ、図１９Ａ〜図１９Ｃ、図２０Ａ〜図２０Ｆ、および図２１Ａ〜図２１Ｆの実施形態において有用な装飾的な沈まず傾かない浮遊自走回転物体を示しており、図２２Ｂおよび図２２Ｃは、図２２Ａの断面線Ｂ〜ＢおよびＣ〜Ｃにそれぞれ沿って示される断面図である。
【図２２Ｃ】図８Ａ〜図８Ｄ、図９Ａ〜図９Ｃ、図１０Ａ〜図１０Ｃ、図１１Ａ〜図１１Ｃ，図１７Ａ〜図１７Ｃ、図１９Ａ〜図１９Ｃ、図２０Ａ〜図２０Ｆ、および図２１Ａ〜図２１Ｆの実施形態において有用な装飾的な沈まず傾かない浮遊自走回転物体を示しており、図２２Ｂおよび図２２Ｃは、図２２Ａの断面線Ｂ〜ＢおよびＣ〜Ｃにそれぞれ沿って示される断面図である。
【発明を実施するための形態】
【００２０】
本発明の説明で使用される場合、「水で満たされた浴槽」および「水で満たされた浴槽領域」という用語は、浴槽内にある水に限定されず、浴槽、水泳プール、および海水浴場を含むがそれらに限定されない任意の水域または貯水場所を含んでよい。
【００２１】
ここで、本発明の実施形態に従って構成され動作可能な水上玩具システムのそれぞれ簡略化された立体図および構造／機能図である図１Ａおよび図１Ｂが参照される。
【００２２】
図１Ａおよび図１Ｂに示すように、公称水線１０５を有する水で満たされた浴槽領域１０４内に設けられ、水で満たされた浴槽１０４の他の部分から独立した水遊び空間１０６を形成するように好適に構成された、好適には環状囲い１０２の形状である水遊び空間仕切り部を含む、好適には風呂用玩具である水上玩具システム１００が供給される。
【００２３】
水噴射発生アセンブリ１１０は、水遊び空間１０６内に少なくとも１つの水噴射を発生させ、少なくとも１つ、好適には数個のたとえばボート玩具１１２など装飾的な浮遊性要素は、水遊び空間１０６内の水に浮遊するように構成される。
【００２４】
図示した実施形態において、水空間仕切り部は、所望の任意の適切な形状である環状囲い１０２であってよい。これは、たとえば浴槽の底に係留されることによって位置を固定されてよく、または浴槽内の水に浮遊してよい。水空間仕切り部の主な機能は、たとえばボート玩具１１２など装飾的な浮遊性要素の移動範囲を所望の水遊び空間内、好適には子供の面前に制限することである。水空間仕切り部の他の機能は、水遊び空間内に比較的穏やかな水面を形成することである。水遊び空間の水線１１３は、浴槽領域の水線１０５と同じであっても異なってもよい。図１Ａおよび図１Ｂに示す実施形態において、それらは同じである。
【００２５】
水噴射発生アセンブリ１１０は、好適には水遊び空間仕切り部内に設けられ、好適には、矢印１１４で示すように、水遊び空間１０６の外側かつ仕切り部の外側から水を汲み上げ、矢印１１６で示すように、水遊び空間１０６内に水を噴射する。図１Ａおよび図１Ｂに示す実施形態において、吸水口１２６を有する電池式水ポンプ１２４の放水口に配管１２２によって連結された複数のノズル１２０から複数の水噴射が供給され、それら全てが水噴射発生アセンブリ１１０の一部を形成する。
【００２６】
図１Ａおよび図１Ｂの実施形態において、水遊び空間１０６は、ここでは環状囲い１０２として示される仕切り部によって形成されるエリア、および水線１１３の下の深さであると考えられてよく、この深さは、そのエリア内の水におけるボート玩具１１２の喫水に少なくとも等しい。図示した実施形態において、水遊び空間１０６の深さは、浴槽領域１０４の水線１０５より下の、ここでは参照番号１３２で示す仕切り部の底面が達する深さであると考えられ得る。水遊び空間１０６は、浴槽領域１０４の水線１０５より上かつ水遊び空間の水線１１３より上、好適には、ここでは参照番号１３４で示す仕切り部の上面が達する高さまで及ぶと考えられ得る。あるいは水遊び空間は、高さ１３４を超えて、水噴射１１６が届く最大高さまで及ぶとも考えられ得る。
【００２７】
ここで、本発明の他の実施形態に従って構成され動作可能な水上玩具システムのそれぞれ簡略化された立体図および構造／機能図である図２Ａおよび図２Ｂが参照される。
【００２８】
図２Ａおよび図２Ｂに示すように、水で満たされた浴槽領域１５４内に設けられ、水で満たされた浴槽領域１５４の他の部分から独立した水遊び空間１５６を形成するように好適に構成された、好適にはほぼ円形の環状囲い１５２の形状である水遊び空間仕切り部を含む、好適には風呂用玩具である水上玩具システム１５０が供給される。
【００２９】
中央水噴射発生アセンブリ１５８は、水遊び空間１５６内の中央を占めるほぼ垂直の水噴射を発生させ、少なくとも１つ、好適には数個のたとえばボート玩具１６０などの装飾的な浮遊性要素は、水遊び空間１５６内の水に浮遊するように構成される。
【００３０】
図示した実施形態において、水空間仕切り用環状囲い１５２は、たとえば浴槽の底に係留されることによって位置を固定されてよく、または浴槽内の水に浮遊してよい。水空間仕切り用環状囲い１５２は、中央水噴射発生アセンブリ１５８に固定されていても、固定されていなくてもよく、または物理的に取り付けられていても、取り付けられていなくてもよい。図１Ａおよび図１Ｂの実施形態と同様、水空間仕切り部の主な機能は、装飾的な浮遊性要素の移動範囲を所望の水遊び空間内、好適には子供の面前に制限することである。水空間仕切り部の他の機能は、水遊び空間内に比較的穏やかな水面を形成することである。
【００３１】
図２Ａおよび図２Ｂの実施形態において、水噴射発生アセンブリ１５８は好適には、水遊び空間仕切り部から独立しており、水が水遊び空間１５６内に落下するように水を上方へ噴射する。図２Ａおよび図２Ｂに示す実施形態において、水噴射発生アセンブリ１５８は、吸水口１７０を有する電池式水ポンプ１６８の放水口１６６に配管１６４によって連結された単一のノズル１６２を含む。
【００３２】
水噴射発生アセンブリ１５８は好適には、好適には水遊び空間１５６の水線１７３より下にあり図示するように仕切り用環状囲い１５２によって形成されるエリア内にあってよい吸水口１７０およびフィルタ１７２を介して水を汲み上げる。流入水流は矢印１７４で示され、出口噴射は矢印１７６で示される。
【００３３】
図１Ａおよび図１Ｂの実施形態と同様、ここでは水遊び空間１５６は、ここでは環状囲い１５２である仕切り部によって形成されるエリア、およびそのエリア内の水におけるボート玩具１６２の喫水に少なくとも等しい水線１７３の下の深さであると考えられ得る。図示した実施形態において、水遊び空間１５６の深さは、浴槽領域１５４の水線１８４より下の、ここでは参照番号１８２で示す仕切り部の底面が達する深さであると考えられ得る。水遊び空間１５６は、浴槽領域１５４の水線１８４より上かつ水遊び空間の水線１７３より上、好適には、ここでは参照番号１８６で示す仕切り部の上面が達する高さまで及ぶと考えられ得る。あるいは水遊び空間は、高さ１８６を超えて、水噴射１７６が届く最大高さまで及ぶとも考えられ得る。
【００３４】
ここで、本発明のまた他の実施形態に従って構成され動作可能な水上玩具システムのそれぞれ簡略化された立体図および構造／機能図である図３Ａおよび図３Ｂが参照される。
【００３５】
図３Ａおよび図３Ｂに示すように、公称水線２０５を有する水で満たされた浴槽領域２０４内に設けられ、水で満たされた浴槽２０４の他の部分から独立した少なくとも部分的に水で満たされた水遊び空間２０６を形成するように好適に構成された、好適には一般的なボウル２０２の形状である水遊び空間仕切り部を含む、好適には風呂用玩具である水上玩具システム２００が供給される。
【００３６】
水噴射発生アセンブリ２１０は、水遊び空間２０６内に少なくとも１つの水噴射を発生させ、少なくとも１つ、好適には数個のたとえばボート玩具２１２などの装飾的な浮遊性要素は、水で満たされた水遊び空間２０６内の水に浮遊するように構成される。
【００３７】
図示した実施形態において、水空間仕切り部は、所望の任意の適切な形状である凹型囲い、すなわちボウル２０２であってよい。水空間仕切り部は、たとえば浴槽の底に係留されることによって位置を固定されるか、あるいは浴槽領域内の水に浮遊してよい。水空間仕切り部の主な機能は、装飾的な浮遊性要素の移動範囲を所望の水遊び空間内、好適には子供の面前に制限することである。水空間仕切り部の他の機能は、水遊び空間内に比較的穏やかな水面を形成することである。この実施形態において、仕切り部の追加の機能は、水遊び空間の水線２１３が浴槽領域の水線２０５から切り離され、水線２０５より上または下にあってよいように、浴槽領域２０４の高さを上回る高さまで水遊び空間を持ち上げることである。図示した実施形態において、水線２１３は水線２０５よりも上にあることが示される。
【００３８】
水噴射発生アセンブリ２１０は、好適には仕切り部と一体に形成され、仕切り部の下側かつ中央に設けられる。水噴射発生アセンブリ２１０は好適には、矢印２１４で示すように、吸水口２１５およびフィルタ２１６を介して水遊び空間２０６の外側かつ仕切り部の下側から水を汲み上げ、矢印２１８で示すように、水遊び空間２０６内に水を噴射する。図３Ａおよび図３Ｂに示す実施形態において、配管２２２によって電池式ポンプ２２６の放水口２２４に連結された複数のノズル２２０から複数の水噴射が供給される。
【００３９】
ここで、本発明のまた他の実施形態に従って構成され動作可能な水上玩具システムのそれぞれ簡略化された立体図および構造／機能図である図４Ａおよび図４Ｂが参照される。
【００４０】
図４Ａおよび図４Ｂに示すように、公称水線２５５を有する水で満たされた浴槽領域２５４内に設けられ、水で満たされた浴槽２５４の他の部分から独立した少なくとも部分的に水で満たされた水遊び空間２５６を形成するように好適に構成された、好適には一般的なボウル２５２の形状である水遊び空間仕切り部を含む、好適には風呂用玩具である水上玩具システム２５０が供給される。
【００４１】
水噴射発生アセンブリ２６０は、水遊び空間２５６内に少なくとも１つの水噴射を発生させ、少なくとも１つ、好適には数個のたとえばボート玩具２６２などの装飾的な浮遊性要素は、水で満たされた水遊び空間２５６内の水に浮遊するように構成される。
【００４２】
図示した実施形態において、水空間仕切り部は、所望の任意の適切な形状の凹型囲い、すなわちボウル２５２であってよい。水空間仕切り部は、たとえば浴槽の底に係留されることによって位置を固定されるか、または浴槽領域内の水に浮遊してよい。水空間仕切り部の主な機能は、装飾的な浮遊性要素の移動範囲を所望の水遊び空間内、好適には子供の面前に制限することである。水空間仕切り部の他の機能は、水遊び空間内に比較的穏やかな水面を形成することである。この実施形態において、仕切り部の追加の機能は、水遊び空間の水線２６３が浴槽領域の水線２５５から切り離され、水線２５５より上または下にあってよいように、浴槽領域２５４の高さを上回る高さまで水遊び空間２５６の少なくとも一部を持ち上げることである。図示した実施形態において、水線２６３は水線２５５より上にあることが示される。
【００４３】
水噴射発生アセンブリ２６０は、好適には仕切り部と一体に形成され、仕切り部の下側かつ中央に設けられる。水噴射発生アセンブリ２６０は好適には、矢印２６６で示すように、水遊び空間２５６の外側かつ仕切り部の下側から吸水口２６４およびフィルタ２６５を介して水を汲み上げ、矢印２６８で示すように、水遊び空間２５６内に少なくとも１つの水流を向ける。
【００４４】
図４Ａおよび図４Ｂに示す実施形態に示すように、水流は、吸水口２６４およびフィルタ２６５を介して水を受け入れる電池式水ポンプ２７４の放水口２７３に配管２７２によって連結された少なくとも１つのノズル２７０から供給され、それら全てが水噴射発生アセンブリ２６０の一部を形成する。図４Ａおよび図４Ｂに示す実施形態ではノズル２７０は水線２６３より下にあるが、ノズル２７０は水線２６３より下にあってよいことが理解される。
【００４５】
図４Ａおよび図４Ｂの実施形態において、水遊び空間２５６はボウル２５２によってエリアおよび深さを定められる。水遊び空間２５６は、浴槽領域２５４の水線２５５より上かつ水遊び空間の水線２６３より上、好適には、ここでは参照番号２８４で示す仕切り部の上面が達する高さまで及ぶと考えられ得る。あるいは水遊び空間は、高さ２８４を超えて、浮遊性要素２６２が届く最大高さまで及ぶとも考えられ得る。
【００４６】
ここで、本発明の追加の実施形態に従って構成され動作可能な水上玩具システムのそれぞれ簡略化された立体図および構造／機能図である図５Ａおよび図５Ｂが参照される。
【００４７】
図５Ａおよび図５Ｂに示すように、公称水線３０５を有する水で満たされた浴槽領域３０４内に設けられ、水で満たされた浴槽３０４の他の部分から独立した水遊び空間３０６を形成するように好適に構成された、好適には環状囲い３０２の形状である水遊び空間仕切り部を含む、好適には風呂用玩具である水上玩具システム３００が供給される。
【００４８】
水噴射発生アセンブリ３１０は、水遊び空間３０６内に少なくとも１つの水噴射を発生させ、少なくとも１つ、好適には数個のたとえばボート玩具３１２などの装飾的な浮遊性要素は、水遊び空間３０６内の水に浮遊するように構成される。
【００４９】
図示した実施形態において、水空間仕切り部は、所望の任意の適切な形状の環状囲い３０２であってよい。水空間仕切り部は、たとえば浴槽の底に係留されることによって位置を固定されるか、または浴槽内の水に浮遊してよい。水空間仕切り部の主な機能は、装飾的な浮遊性要素の移動範囲を所望の水遊び空間内、好適には子供の面前に制限することである。水空間仕切り部の他の機能は、水遊び空間内に比較的穏やかな水面を形成することである。図示した実施形態において、水遊び空間３０６の水線３１３は、浴槽領域３０４の水線３０５と同じである。
【００５０】
水噴射発生アセンブリ３１０は、好適には水遊び空間仕切り部内に組み込まれ、好適には、矢印３１４で示すように、水遊び空間３０６の外側かつ仕切り部の外側から水を汲み上げ、矢印３１６および矢印３１７でそれぞれ示すように、水遊び空間３０６の内外へ水を噴射する。図５Ａおよび図５Ｂに示す実施形態において、吸水口３２６を有する電池式水ポンプ３２４の放水口に配管３２２によって連結された様々なノズル３２０から様々な方向へ複数の水噴射が供給され、それら全てが水噴射発生アセンブリ３１０の一部を形成する。
【００５１】
図５Ａおよび図５Ｂの実施形態において、水遊び空間３０６は、ここでは環状囲い３０２である仕切り部によって形成されるエリア、およびそのエリア内の水におけるボート玩具３１２の喫水に少なくとも等しい水線３１３より下の深さであると考えられ得る。図示した実施形態において、水遊び空間３０６の深さは、浴槽領域３０４の水線３０５より下の、ここでは参照番号３３２で示す仕切り部の底面が達する深さであると考えられ得る。水遊び空間３０６は、浴槽領域３０４の水線３０５より上かつ水遊び空間３０６の水線３１３より上、好適には、ここでは参照番号３３４で示す仕切り部の上面が達する高さまで及ぶと考えられ得る。あるいは水遊び空間３０６は、高さ３３４を超えて、水噴射３１６および３１７が届く最大高さまで及ぶとも考えられ得る。
【００５２】
ここで、本発明のさらに追加の実施形態に従って構成され動作可能な水上玩具システムのそれぞれ簡略化された立体図および構造／機能図である図６Ａおよび図６Ｂが参照される。
【００５３】
図６Ａおよび図６Ｂに示すように、公称水線３５５を有する水で満たされた浴槽領域３５４内に設けられ、水で満たされた浴槽３５４の他の部分から独立した水で満たされた水遊び空間３５６を形成するように好適に構成された、好適には環状囲い３５２の形状である水遊び空間仕切り部を含む、好適には風呂用玩具である水上玩具システム３５０が供給される。
【００５４】
水噴射発生アセンブリ３６０は、水遊び空間３５６内に少なくとも１つの水噴射を発生させ、少なくとも１つ、好適には数個のたとえばボート玩具３６２などの装飾的な浮遊性要素は、水で満たされた水遊び空間３５６内の水に浮遊するように構成される。
【００５５】
図示した実施形態において、水空間仕切り部は、所望の任意の適切な形状の環状囲い３５２であってよい。水空間仕切り部は、たとえば浴槽の底に係留されることによって位置を固定されるか、または浴槽内の水に浮遊してよい。水区間仕切り部の主な機能は、装飾的な浮遊性要素の移動範囲を所望の水遊び空間内、好適には子供の面前に制限することである。水空間仕切り部の他の機能は、水遊び空間３５６内に比較的穏やかな水面を形成することである。水遊び空間３５６の水線３６３は、ここでは浴槽領域３５４の水線３５５と同じであることが示される。
【００５６】
水噴射発生アセンブリ３６０は、好適には水遊び空間仕切り部内に組み込まれ、好適には、矢印３６４で示すように、水遊び空間３５６の外側かつ仕切り部の外側から水を汲み上げ、矢印３６６および矢印３６７でそれぞれ示すように、水遊び空間３５６の内外へ水を噴射する。図６Ａおよび図６Ｂに示す実施形態において、矢印３７１で示すように、複数の選択的方向可変水噴射が、吸水口３７６を有する電池式水ポンプ３７４の放水口に配管３７２によって連結された様々な選択的方向可変ノズル３７０から供給され、それら全てが水噴射発生アセンブリ３６０の一部を形成する。
【００５７】
図６Ａおよび図６Ｂの実施形態において、水遊び空間３５６は、ここでは環状囲い３５２である仕切り部によって形成されるエリア、および少なくともそのエリア内の水におけるボート玩具３６２の喫水の深さであると考えられ得る。図示した実施形態において、水遊び空間３５６の深さは、浴槽領域３５４の水線３５５より下の、ここでは参照番号３８２で示す仕切り部の底面が達する深さであると考えられ得る。水遊び空間３５６は、浴槽領域３５４の水線３５５より上かつ水遊び空間３５６の水線３６３より上、好適には、ここでは参照番号３８４で示す仕切り部の上面が達する高さまで及ぶと考えられ得る。あるいは水遊び空間３５６は、高さ３８４を超えて、水噴射３６６および３６７が届く最大高さまで及ぶとも考えられ得る。
【００５８】
ここで、本発明の好適な実施形態に従って構成され動作可能なジョイスティック操作型水上玩具の略図である図７Ａ〜図７Ｆが参照される。図７Ａ、図７Ｂ、および図７Ｃは、図７Ａ〜図７Ｆのジョイスティック操作型水上玩具の３つの操作方向の簡略化された立体図であり、図７Ｄ、図７Ｅ、および図７Ｆは、それらに対応する拡大した部分断面図である。
【００５９】
図７Ａ〜図７Ｆに示すように、水遊び空間（不図示）内に少なくとも１つの水噴射を発生させる水噴射発生アセンブリ４０４を収容する装飾的な筐体４０２を含む、好適には風呂用玩具であるジョイスティック操作型水上玩具システム４００が供給される。図示した実施形態において、筐体４０２は、所望の任意の適切な形状であってよい。筐体４０２は、たとえば浴槽の底に係留されることによって位置を固定されるか、または浴槽内の水に浮遊してよい。オン／オフスイッチ４０６は、好適には筐体４０２の側面に取り付けられる。幼児が操作可能なジョイスティック４１０は、筐体４０２に枢動可能に取り付けられ、水噴射発生アセンブリ４０４によって生じる、ここでは参照番号４１４で示す噴射の量および／または高さが、ジョイスティック４１０の方向の変化に伴って変化するように、噴射量制御弁４１３の噴射量制御ボタン４１２（図７Ｄ〜図７Ｆ）を操作する。
【００６０】
水噴射発生アセンブリ４０４は、好適には筐体４０２内に設けられ、好適には、矢印４１６で示すように、筐体４０２の外側から水を汲み上げる。図７Ａ〜図７Ｆに示す実施形態において、好適には単一の水噴射４１４は、噴射量制御ボタン４１２によって作動する噴射量制御弁４１３を介して、吸水口４２６を有する電池式水ポンプ４２５の放水口に配管４２２によって連結されたノズル４２０から供給され、それら全てが水噴射発生アセンブリ４０４の一部を形成する。
【００６１】
あるいは噴射制御ボタン４１２は、ジョイスティック４１０の方向に基づいてポンプ速度を変化させるように水ポンプ４２５の方向を電子的に制御してよい。
【００６２】
図７Ａは、好適にはオンスイッチ４０６を押した結果生じる、オン状態にある図７Ａ〜図７Ｆの水上玩具を示す。ジョイスティック４１０は、最も上に向いた最小噴射の操作方向にある。図７Ｂもまた、オン状態にある図７Ａ〜図７Ｆの水上玩具を示し、ジョイスティック４１０は、中間の噴射の操作方向にある。図７Ｃもまた、オン状態にある図７Ａ〜図７Ｆの水上玩具を示し、ジョイスティック４１０は、最も下に向いた最大噴射の操作方向にある。
【００６３】
ただし、オン／オフ機能は、好適にはジョイスティック４１０によって供給されるものではない。
【００６４】
図７Ａ、図７Ｂ、および図７Ｃ、および対応する図７Ｄ、図７Ｅ、および図７Ｆは、ジョイスティック４１０の操作を示す。図７Ａおよび図７Ｄに示すように、筐体４０２に対して固定されたジョイスティック枢動軸４２８に関して上方の枢動位置にジョイスティック４１０がある場合、比較的小さい噴射が生じ、ジョイスティック４１０に取り付けられたカム４３０は、噴射量制御ボタン４１２を押していないことが示される。図７Ｂおよび図７Ｅに示すように、ジョイスティック枢動軸４２８に関してジョイスティック４１０が中間枢動位置にある場合、中程度の量の噴射が生じ、ジョイスティック４１０に取り付けられたカム４３０は、噴射量制御ボタン４１２を部分的に押している。図７Ｃおよび図７Ｆに示すように、ジョイスティック枢動軸４２８に関してジョイスティック４１０が完全に下げられた枢動位置にある場合、ジョイスティック４１０に取り付けられたカム４３０が噴射量制御ボタン４１２を完全に押しているため、比較的強く大量の噴射が生じる。
【００６５】
ここで、本発明の好適な実施形態に従って構成され動作可能な可変噴射水上玩具システムの２つの操作方向の簡略化された立体図である図８Ａおよび図８Ｂ、および、図８Ａの断面線Ｃ〜Ｃおよび図８Ｂの断面線Ｄ〜Ｄに沿って示される、図８Ａおよび図８Ｂの可変噴射水上玩具システムの一部を形成する噴射発生器および装飾的な浮遊性噴射構成変調器の簡略化されたそれぞれの断面図である図８Ｃおよび図８Ｄが参照される。
【００６６】
図８Ａおよび図８Ｂに示すように、少なくとも１つの水噴射４５４を発生させる水噴射発生アセンブリ４５２を含む、好適には風呂用玩具である水上玩具システム４５０が供給される。少なくとも１つ、好適には数個の、たとえばアヒル玩具４６２などの装飾的な沈まず傾かない浮遊性要素は、浴槽（不図示）内の水に浮遊するように構成される。
【００６７】
水噴射発生アセンブリ４５２は、好適には筐体４６４内に収容され、所望の任意の適切な形状であってよく、好適には装飾的である。水噴射発生アセンブリ４５２は、たとえば真空カップ４６６によって浴槽の底に係留されることによって位置を固定されるか、または浴槽内の水に浮遊してよい。オン／オフスイッチ４６８は、好適には筐体４６４の側面に取り付けられる。図８Ａ〜図８Ｄに示す実施形態において、好適には単一の垂直な水噴射４５４が、吸水口４７８を有する電池式水ポンプ４７６の放水口に配管４７４によって連結されたノズル４７２の噴射出口開口部４７０から供給され、それら全てが水噴射発生アセンブリ４５２の一部を形成する。水は好適には、矢印４８０で示すように、浴槽から汲み上げられる。
【００６８】
図８Ａ〜図８Ｄの実施形態において、水噴射発生アセンブリ４５２および特にノズル４７２は、水噴射発生アセンブリ４５２のノズル４７２と係合して水噴射を受けるように選択的に載置することができ、その少なくとも第１の位置で受ける第１の空間構成を有する単一の垂直な水噴射４５４を、上記第１の空間構成とは異なるその少なくとも第２の位置で放出される第２の空間構成を有する水噴射４８２に変換するように機能する、複数の互いに異なって装飾的な沈まず傾かない浮遊噴射変調物体４６２の１つを、ノズル４７２との係合において選択的に受けるように構成される。
【００６９】
図８Ｄに特に示すように、ここではアヒル４６２の形状である、互いに装飾的な沈まず傾かない浮遊噴射変調物体は、好適には、ノズル４７２と嵌合するように構成された底面凹部４８４、およびノズル４７２の噴射出口開口部４７０内に挿入されるように構成され、中を通る加圧された垂直上向きの水流を受け入れる導管４８６を含む。導管４８６は好適には、複数の噴射出口開口部４９２を有する多岐管４９０における、それらの上昇端４８８を終端とする。
【００７０】
噴射変調物体４６２に特有の特徴は、それらの装飾的形状および出口噴射構成に関わらず、浮遊し、沈まず、傾かないことである。これらの特性は、それらの遊戯価値を維持するものであり、少なくとも１つ、好適には複数の、好適には周方向に配置され密閉されたガス充填コンパートメント４９４を設けた結果得られる。あるいは、密閉されたガス充填コンパートメント４９４は、浮遊性材料で満たされ、密閉される必要がないこともある。
【００７１】
ここで、本発明の他の好適な実施形態に従って構成され動作可能な可変噴射水上玩具システムの２つの操作方向の簡略化された立体図である図９Ａおよび図９Ｂ、および図９Ａの断面線Ｃ〜Ｃに沿って示される、図９Ａおよび図９Ｂの可変噴射水上玩具システムの一部を形成するベースユニットの簡略化された断面図である図９Ｃが参照される。
【００７２】
図９Ａ〜図９Ｃに示すように、好適には風呂用玩具である可変噴射水上玩具システム５００が供給され、これは、水噴射発生アセンブリ５１０を収容する中央部５０４を含む筐体５０２を含み、そこから中央部は、上向き噴射５１６が生じるノズル５１４を各々が終端とする複数のほぼ径方向に伸長する導管５１２を突き出す。
【００７３】
少なくとも１つ、好適には数個の、たとえばアヒル玩具５２０などの装飾的な沈まず傾かない浮遊性要素５２０は、浴槽（不図示）内の水に浮遊するように構成される。
【００７４】
筐体５０２は、たとえば浴槽の底に係留されることによって位置を固定されてよく、または浴槽内の水に浮遊してよい。図９Ａ〜図９Ｃに示す実施形態において、好適には単一の垂直な水噴射５１６が、吸水口５２６を有する電池式水ポンプ５２４の放水口に導管５１２によって連結された各ノズル５１４の噴射出口開口部５２２から供給され、それら全てが水噴射発生アセンブリ５１０の一部を形成する。水は好適には、矢印５２８で示すように、筐体５０２の下で浴槽から汲み上げられる。
【００７５】
図９Ａ〜図９Ｃの実施形態において、水噴射発生アセンブリ５１０および特にノズル５１４は各々が、水噴射発生アセンブリ５１０のノズル５１４と係合して水噴射を受けるように選択的に載置することができ、その少なくとも第１の位置で受ける第１の空間構成を有する単一の垂直な水噴射５１６を、第１の空間構成とは異なるその少なくとも第２の位置で放出される第２の空間構成を有する水噴射５３０に変換するように機能する、たとえばアヒル玩具５２０など複数の互いに異なって装飾的な沈まず傾かない浮遊噴射変調物体の１つを、ノズル５１４との係合において選択的に受けるように構成される。そのような、たとえばアヒル玩具５２０など互いに異なって装飾的な沈まず傾かない浮遊噴射変調物体は、図８Ｄを参照して上述され、様々なそのような物体は好適には、各々が異なる構成の出口噴射を有することが理解される。
【００７６】
たとえばアヒル５２０などの噴射変調物体に特有の特徴は、それらの装飾的形状および出口噴射構成に関わらず、浮遊し、沈まず、傾かないことである。これらの特性は、それらの遊戯価値を維持するものであり、少なくとも１つ、好適には複数の、たとえばガスまたは独立気泡プラスチック材料などの浮力材で充填された容積を設けた結果得られる。
【００７７】
ここで、本発明の好適な実施形態に従って構成され動作可能な可変噴射水上玩具システムの２つの操作方向の簡略化された立体図である図１０Ａおよび図１０Ｂ、および図１０Ａの断面線Ｃ〜Ｃに沿って示される、図１０Ａおよび図１０Ｂの可変噴射水上玩具システムの一部を形成する噴射発生器および水遊び空間仕切り部の簡略化されたそれぞれの断面図である図１０Ｃが参照される。
【００７８】
図１０Ａ〜図１０Ｃに示すように、公称水線５５８を有する水で満たされた浴槽領域５５６内に設けられ、水で満たされた浴槽領域５５６の他の部分から独立し公称水線５６２を有する少なくとも部分的に水で満たされた水遊び空間５６０を形成するように好適に構成された、好適には一般的なボウル５５４の形状である水遊び空間仕切り部を含み、好適には装飾的な形状である筐体５５２を含む、好適には風呂用玩具である水上玩具システム５５０が供給される。
【００７９】
筐体５５２は好適には、単一の上向き噴射５７２を水遊び空間５６０内に好適に発生させる水噴射発生アセンブリ５７０を収容する中央部５６４も含む。また、図８Ａ〜図９Ｃを参照して上述された物体と機能および構造的に同一であってよく、水で満たされた水遊び空間５６０内の水に浮遊するように構成された、少なくとも１つ、好適には数個の、たとえばアヒル玩具５７４など装飾的な沈まず傾かない浮遊性物体も供給される。
【００８０】
図示した実施形態において、水空間仕切り部は、所望の任意の適切な形状の凹型囲い、すなわちボウル５５４であってよい。水空間仕切り部は、たとえば真空カップ５７６によって浴槽の底に係留されることによって位置を固定されてよく、または浴槽領域内の水に浮遊してよい。水空間仕切り部の主な機能は、装飾的な浮遊性要素の移動範囲を所望の水遊び空間内、好適には子供の面前に制限することである。水空間仕切り部の他の機能は、水遊び空間５６０内に比較的穏やかな水面を形成することである。この実施形態において、仕切り部の追加の機能は、水遊び空間５６０の水線５６２が浴槽領域５５６の水線５５８から切り離され、水線５５８より上または下であってよいように、浴槽領域５５６の高さを上回る高さまで水遊び空間５６０を持ち上げることである。図示した実施形態において、水線５６２は水線５５８よりも大幅に上にあることが示される。
【００８１】
水噴射発生アセンブリ５７０は好適には、筐体の中央部５６４の外側にオン／オフスイッチ５８０を含む。図１０Ａ〜図１０Ｃに示す実施形態において、好適には単一の垂直な水噴射５７２が、吸水口５９０を有する電池式水ポンプ５８８の放水口に配管５８６によって連結されたノズル５８４の噴射出口開口部５８２から供給され、それら全てが水噴射発生アセンブリ５７０の一部を形成する。水は好適には、矢印５９２で示すように、浴槽から汲み上げられる。
【００８２】
図１０Ａ〜図１０Ｃの実施形態において、水噴射発生アセンブリ５７０および特にノズル５８４は、水噴射発生アセンブリ５７０のノズル５８４と係合して水噴射を受けるように選択的に載置することができ、その少なくとも第１の位置で受ける第１の空間構成を有する単一の垂直な水噴射５７２を、上記第１の空間構成とは異なるその少なくとも第２の位置で放出される第２の空間構成を有する水噴射５９４に変換するように機能する、複数の互いに異なって装飾的な沈まず傾かない浮遊噴射変調物体５７４の１つを、ノズル５８４との係合において選択的に受けるように構成される。上述したように、互いに装飾的な沈まず傾かない浮遊噴射変調物体の構造および操作は、図８Ｄを参照して上述したものと同様であってよい。物体５７４の様々な１つは、好適には異なる出口噴射構成をもたらす。
【００８３】
ここで、本発明のまた他の好適な実施形態に従って構成され動作可能な水遊び空間仕切り型可変噴射水上玩具システムの２つの操作方向の簡略化された立体図である図１１Ａおよび図１１Ｂ、および、図１１Ａの断面線Ｃ〜Ｃに沿って示される、図１１Ａおよび図１１Ｂの水遊び空間仕切り型可変噴射水上玩具システムの一部を形成するベースユニットの簡略化された断面図である図１１Ｃが参照される。
【００８４】
図１１Ａ〜図１１Ｃに示すように、水噴射発生アセンブリ６１０を収容する中央部６０４を含む筐体６０２を含む、好適には風呂用玩具である水遊び空間仕切り型可変噴射水上玩具システム６００が供給され、そこから中央部は、上向き噴射６１６が生じるノズル６１４を各々が終端とする複数のほぼ径方向に伸長する導管６１２を突き出す。ノズル６１４は、円周部分６１８によって相互に連結されて共に水遊び空間仕切り部６２０を形成し、その内側に水遊び空間６２２を形成する。
【００８５】
水遊び空間仕切り部６２０は好適には、水で満たされた浴槽領域６２４内に設けられ、水で満たされた浴槽領域６２４の他の部分から独立したエリアの水遊び空間６２２を形成するように好適に構成される、ほぼ円形の環状囲いの形状である。
【００８６】
ノズル６１４の各々は、水遊び空間６２２内に、中央を占めるほぼ垂直な水噴射６１６を発生させ、少なくとも１つ、好適には数個の、たとえばアヒル玩具６３０など装飾的な沈まず傾かない浮遊性物体は、水遊び空間６２２内の水に浮遊するように構成され、それらの例は図８Ｄを参照して上述される。
【００８７】
図示した実施形態において、水空間仕切り用環状囲い６２０は、たとえば浴槽の底に係留されることによって位置を固定されてよく、あるいは浴槽内の水に浮遊してよい。図１Ａおよび図１Ｂの実施形態と同様、水空間仕切り部の主な機能は、装飾的な浮遊性要素の移動範囲を所望の水遊び空間内、好適には子供の面前に制限することである。水空間仕切り部の他の機能は、水遊び空間６２２内に比較的穏やかな水面を形成することである。
【００８８】
各ノズル６１４は、吸水口６３６を有する電池式水ポンプ６３４の放水口に導管６１２によって連結され、それら全てが水噴射発生アセンブリ６１０の一部を形成する。水は好適には、矢印６３８で示すように、筐体６０２の下側で浴槽から汲み上げられる。
【００８９】
図１１Ａ〜図１１Ｃの実施形態において、水噴射発生アセンブリ６１０および特にノズル６１４は各々が、水噴射発生アセンブリ６１０のノズル６１４と係合して水噴射を受けるように選択的に載置することができ、その少なくとも第１の位置で受ける第１の空間構成を有する単一の垂直な水噴射６１６を、第１の空間構成とは異なるその少なくとも第２の位置で放出される第２の空間構成を有する水噴射６４０に変換するように機能する、たとえばアヒル玩具６３０など複数の互いに異なって装飾的な沈まず傾かない浮遊噴射変調物体の１つを、ノズル６１４との係合において選択的に受けるように構成される。そのような、たとえばアヒル玩具６３０など互いに異なって装飾的な沈まず傾かない浮遊噴射変調物体の好適な実施形態は、図８Ｄを参照して上述され、様々なそのような物体は好適には、各々が異なる構成の出口噴射を有することが理解される。
【００９０】
たとえばアヒル玩具６３０などの噴射変調物体に特有の機能は、それらの装飾的形状および出力噴射構成に関わらず、浮遊し、傾かず、沈まないことである。これらの特性は、それらの遊戯価値を維持するものであり、少なくとも１つ、好適には複数の、たとえばガスまたは独立気泡プラスチック材料などの浮力材で充填された容積を設けた結果得られる。
【００９１】
ここで、本発明の実施形態に従って構成され動作可能な水上玩具システムのそれぞれ簡略化された立体図および構造／機能図である図１２Ａおよび図１２Ｂが参照される。
【００９２】
図１２Ａおよび図１２Ｂに示すように、公称水線７０５を有する水で満たされた浴槽領域７０４内に設けられ、水で満たされた浴槽領域７０４の他の部分から独立した水遊び空間７０６を形成するように好適に構成された、好適には環状囲い７０２の形状である水遊び空間仕切り部を含む、好適には風呂用玩具である水上玩具システム７００が提供される。
【００９３】
水噴射発生アセンブリ７１０は好適には、複数のほぼ径方向に向けられた導管７１２によって複数のノズル７１４に連結され、ノズル７１４の各々は、水遊び空間７０６内に少なくとも１つの水噴射を発生させ、少なくとも１つ、好適には数個の、たとえばボート玩具７１６など装飾的な沈まず傾かない浮遊性物体は、水遊び空間７０６内の水に浮遊するように構成される。
【００９４】
図示した実施形態において、水空間仕切り部は、所望の任意の適切な形状の環状囲い７０２であってよく、完全に自由に浮遊し得るか、あるいは、回転することはできるが浴槽内の所与の概位置からは移動しないように係留されつつ浮遊してもよい。水空間仕切り部の主な機能は、たとえばボート玩具７１６など装飾的な浮遊性物体の移動範囲を、所望の水遊び空間内、好適には子供の面前に制限することである。水空間仕切り部の他の機能は、水遊び空間７０６内に比較的穏やかな水面を形成することである。この実施形態における水遊び空間７０６の水線７１８は、浴槽領域７０４の水線７０５と同じである。
【００９５】
水噴射発生アセンブリ７１０は、水遊び空間仕切り部の中央に設けられ、好適には、矢印７２０で示すように、水遊び空間７０６の下側かつ仕切り部の外側から水を汲み上げ、矢印７２２で示すように、水遊び空間７０６内に水を噴射する。図１２Ａおよび図１２Ｂに示す実施形態において、導管７１２によって電池式水ポンプ７２４の放水口に連結された複数のノズル７１４によって複数の水噴射が供給される。
【００９６】
本発明のこの実施形態に特有の特徴は、ノズル７１４の少なくともいくつかが、矢印７３０で示すように、接線方向分力であってよい、仕切り部の平面における非径方向分力を少なくとも有する水噴射を供給することである。ここでは、この水噴射は水遊び空間７０６の水線７１８より上にあり、たとえばボート玩具７１６など装飾的な浮遊性物体に衝突することによって、好適にはそれらを、矢印７３０で示す噴射によって形成される進路に沿って矢印７３２で示すほぼ円形の動きに動かすことが示される。矢印７３０で示す非径方向の噴射の反力によって、仕切り部を含む水上玩具システムの他の部分は矢印７３４で示す方向へ回転する。
【００９７】
仕切り部が自由に浮遊する場合、矢印７３２および矢印７３４で示すような、たとえばボート玩具７１６など装飾的な浮遊性物体と玩具システムの他の部分との相反する回転は、矢印７３０に沿った噴射が供給される限り継続し得る。しかし、仕切り部が係留されている場合、最終的に、仕切り部の回転の結果生じる係留具の逆トルクによって仕切り部の回転は停止し、逆方向への回転が開始する。この仕切り部の逆回転は、矢印７３０に沿った噴射によってたとえばボート玩具７１６などの物体に加えられる回転力を増加させる。逆回転は、矢印７３４で示すような仕切り部の回転が再開する閾値をトルクが下回るまで継続する。この周期的な回転運動は、矢印７３０に沿った非径方向の噴射が供給される限り継続する。
【００９８】
あるいは矢印７３０に沿った噴射は、水面下の同じ方向への前向き水流で代替されてよく、その場合も上述したものとほぼ同じ効果が得られることが理解される。
【００９９】
図１２Ａおよび図１２Ｂの実施形態において、水遊び空間７０６は、ここでは環状囲い７０２として示される仕切り部によって形成されるエリア、およびそのエリア内の水におけるボート玩具７１６の喫水に少なくとも等しい水線７１８の下の深さであると考えられ得る。図示した実施形態において、水遊び空間７０６の深さは、浴槽領域７０４の水線７０５より下の、ここでは参照番号７３８で示される仕切り部の底面が達する深さであると考えられ得る。水遊び空間７０６は、浴槽領域７０４の水線７０５より上かつ水遊び空間７０６の水線７１８より上、好適には、ここでは参照番号７４０で示す仕切り部の上面が達する高さまで及ぶと考えられ得る。あるいは水遊び空間７０６は、高さ７４０を超えて、水噴射７２２が届く最大高さまで及ぶとも考えられ得る。
【０１００】
ここで、本発明の好適な実施形態に従って構成され動作可能な回転運動駆動型係留式玩具システムのそれぞれ簡略化された立体図および断面図である図１３Ａおよび図１３Ｂが参照され、図１３Ｂは、図１３Ａの直線Ｂ〜Ｂに沿って示される。
【０１０１】
図１３Ａおよび図１３Ｂに示すように、公称水線７５８を有する水で満たされた浴槽領域７５６内に設けられ、水で満たされた浴槽領域７５６の他の部分から独立し公称水線７６２を有する少なくとも部分的に水で満たされた水遊び空間７６０を形成するように好適に構成された、好適には一般的なボウル７５４の形状である水遊び空間仕切り部を含み、好適には装飾的な形状である筐体７５２を含む、好適には風呂用玩具である水上玩具システム７５０が供給される。
【０１０２】
筐体７５２は好適には、好適には筐体の内周に正接し仕切り部の平面における非径方向分力を少なくとも有する少なくとも１つの上向き噴射７７２を水遊び空間７６０内に好適に発生させる水噴射発生アセンブリ７７０を収容する中央部７６４も含む。また、少なくとも１つ、好適には数個の、たとえばアヒル玩具７７４など装飾的な沈まず傾かない浮遊性物体も供給され、それらは図８Ａ〜図９Ｃを参照して上述した物体と構造および機能的に同一であってよく、水遊び空間７６０内の水に浮遊するように構成される。
【０１０３】
図示した実施形態において、水空間仕切り部は、所望の任意の適切な形状の凹型囲い、すなわちボウル７５４であってよい。水空間仕切り部は、たとえば真空カップ７７６によって浴槽の底に係留されることによって位置を固定されてよく、あるいは浴槽領域７５６内の水に浮遊してよい。水空間仕切り部の主な機能は、装飾的な浮遊性要素の移動範囲を所望の水遊び空間内、好適には子供の面前に制限することである。水空間仕切り部の他の機能は、水遊び空間７６０内に比較的穏やかな水面を形成することである。この実施形態において、仕切り部の追加の機能は、水遊び空間の水線７６２が浴槽領域７５６の水線７５８から切り離され、水線７５８より上または下にあってよいように、浴槽領域７５６の高さを上回る高さまで水遊び空間７６０を持ち上げることである。図示した実施形態において、水線７６２は、水線７５８より大幅に上にあることが示される。
【０１０４】
水噴射発生アセンブリ７７０は好適には、筐体７５２の中央部７６４の上部７８０の外側にオン／オフスイッチ７７８を含む。図１３Ａおよび図１３Ｂに示す実施形態において、吸水口７９０を有する電池式水ポンプ７８８の放水口に配管７８６によって連結されたノズル７８４の噴射出口開口部７８２から、好適には上向き分力および仕切り部の平面における非径方向の分力を有する単一の水噴射７７２が供給され、それら全てが水噴射発生アセンブリ７７０の一部を形成する。水は好適には、矢印７９２で示すように、浴槽から汲み上げられる。
【０１０５】
ここで、本発明の他の好適な実施形態に従って構成され動作可能な回転運動駆動型係留式玩具システムのそれぞれ簡略化された立体図および断面図である図１４Ａおよび図１４Ｂが参照され、図１４Ｂは、図１４Ａの直線Ｂ〜Ｂに沿って示される。
【０１０６】
図１４Ａおよび図１４Ｂに示すように、公称水線８０５を有する水で満たされた浴槽領域８０４内に設けられ、水で満たされた浴槽８０４の他の部分から独立した少なくとも部分的に水で満たされた水遊び空間８０６を形成するように好適に構成された、好適には一般的なボウル８０２の形状である水遊び空間仕切り部を含む、好適には風呂用玩具である水上玩具システム８００が供給される。
【０１０７】
水噴射発生アセンブリ８１０は、少なくとも１つ、好適には２つの加圧された水流を水遊び空間８０６内に発生させ、少なくとも１つ、好適には数個のたとえばボート玩具８１２など装飾的な浮遊性要素は、水遊び空間８０６内の水に浮遊するように構成される。
【０１０８】
図示した実施形態において、水空間仕切り部は、所望の任意の適切な形状の凹型囲い、すなわちボウル８０２であってよい。水空間仕切り部は、たとえば真空カップ８１４によって浴槽の底に係留されることによって位置を固定されてよく、あるいは浴槽領域内の水に浮遊してよい。水空間仕切り部の主な機能は、装飾的な浮遊性要素の移動範囲を所望の水遊び空間内、好適には子供の面前に制限することである。水空間仕切り部の他の機能は、水遊び空間８０６内に比較的穏やかな水面を形成することである。この実施形態において、仕切り部の追加の機能は、水遊び空間８０６の水線８１５が浴槽領域８０４の水線８０５から切り離され、水線８０５より上または下にあってよいように、浴槽領域８０４の高さを上回る高さまで水遊び空間８０６の少なくとも一部を持ち上げることである。図示した実施形態において、水線８１５は、水線８０５より僅かに上にあることが示される。
【０１０９】
水噴射発生アセンブリ８１０は、好適には仕切り部８０２と一体に形成され、仕切り部８０２の下側かつ中央に設けられる。水噴射発生アセンブリ８１０は好適には、矢印８２４で示すように、水遊び空間８０６の外側かつ仕切り部の下側から吸水口８１６およびフィルタ８１８を介して水を汲み上げ、矢印８２６で示すように、仕切り部の内周に正接する方向であってよい非径方向に、水線８１５より下で２つの加圧された水流を水遊び空間８０６内に向け、好適にはそれによって循環水流が生じ、ボート玩具８１２の各々の水面下部分に好適には間欠的に衝突することによって、無限循環ループでボート玩具８１２を動かす。
【０１１０】
図１４Ａおよび図１４Ｂに示す実施形態において、好適には、吸水口８１６およびフィルタ８１８を介して水を受け入れる電池式水ポンプ８３６の放水口８３４に配管８３２によって連結されたノズル８３０から矢印８２６で示す水流が噴出し、それら全ては水噴射発生アセンブリ８１０の一部を形成するものであり、それによって、たとえばボート玩具８１２など装飾的な浮遊性要素を無限ループの動きで動かすための矢印８４０で示すような無限ループの水流が発生する。
【０１１１】
図１４Ａおよび図１４Ｂの実施形態において、水遊び空間８０６は、エリアおよび深さをボウル８０２によって定められる。水遊び空間８０６は、浴槽領域８０４の水線８０５より上かつ水遊び空間８０６の水線８１５より上、好適には、ここでは参照番号８４４で示す仕切り部の上面が達する高さまで及ぶと考えられ得る。あるいは水遊び空間は、高さ８４４を超えて、たとえばボート玩具８１２などの浮遊性要素が届く最大高さまで及ぶとも考えられ得る。
【０１１２】
ここで、本発明の他の好適な実施形態に従って構成され動作可能な回転運動駆動型係留式玩具システムのそれぞれ簡略化された立体図および断面図である図１５Ａおよび図１５Ｂが参照され、図１５Ｂは、図１５Ａの直線Ｂ〜Ｂに沿って示される。
【０１１３】
図１５Ａおよび図１５Ｂに示すように、水噴射発生アセンブリ８６０を収容する中央部８５４を含む筐体８５２を含む、好適には風呂用玩具である回転運動駆動型係留式玩具システム８５０が供給され、そこから中央部は、各々がノズル８６４を終端とする複数のほぼ径方向に伸長する導管８６２を突き出し、ノズル８６４から、ノズル８６４によって仕切られたほぼ円形のエリアに正接してよい非径方向の噴射８６６が好適にはほぼ水平方向に生じる。ノズル８６４は好適には、円周部分８６８によって相互に連結されて共に水遊び空間仕切り部８７０を形成し、その内側に水遊び空間８７２が形成される。
【０１１４】
水遊び空間仕切り部８７０は、好適にはほぼ円形の環状囲いの形状であり、水で満たされた浴槽領域８７４内に設けられ、水で満たされた浴槽領域８７４の他の部分から独立したエリアの水遊び空間８７２を形成するように好適に構成される。
【０１１５】
ノズル８６４の各々は、水遊び空間８７２内に、ノズル８６４によって仕切られたほぼ円形のエリアに正接してよい非径方向の噴射８６６を発生させ、少なくとも１つ、好適には数個の、たとえばボート玩具８８０など装飾的な沈まず傾かない浮遊性物体は、水遊び空間８７２内の水に浮遊し、少なくとも間欠的にそれらに衝突する噴射８６６によって継続的な円運動で動かされるように構成される。
【０１１６】
図示した実施形態において、水空間仕切り用環状囲い８７０は、たとえば吸盤８８２によって浴槽の側面に係留されることにより位置を固定されてよく、あるいは浴槽内の水に浮遊してよい。図１Ａおよび図１Ｂの実施形態と同様、水空間仕切り部の主な機能は、装飾的な浮遊性要素の移動範囲を所望の水遊び空間内、好適には子供の面前に制限することである。水空間仕切り部の他の機能は、水遊び空間８７２内に比較的穏やかな水面を形成することである。
【０１１７】
各ノズル８６４は、吸水口８８６を有する電池式水ポンプ８８４の放水口に配管８６２によって連結され、それら全てが水噴射発生アセンブリ８６０の一部を形成する。水は好適には、矢印８８８で示すように、筐体８５２の下側で浴槽から汲み上げられる。
【０１１８】
ここで、本発明の実施形態に従って構成され動作可能なマルチメディアジョイスティック制御型水上玩具の５つの操作方向の簡略化された立体図である図１６Ａ、図１６Ｂ、図１６Ｃ、図１６Ｄ、および図１６Ｅ、図１６Ａ〜図１６Ｅのマルチメディアジョイスティック制御型水上玩具の簡略化された部分断面表現図である図１６Ｆ、および図１６Ａ〜図１６Ｆのマルチメディアジョイスティック制御型水上玩具の部品の簡略化された拡大図である図１６Ｇが参照される。
【０１１９】
図１６Ａ〜図１６Ｇに示すように、水遊び空間（不図示）内に垂直な水噴射を発生させる水噴射発生アセンブリ９０４を収容する装飾的な筐体９０２を含む、好適には風呂用玩具であるジョイスティック操作型水上玩具システム９００が供給される。図示した実施形態において、筐体９０２は、所望の任意の適切な形状であってよい。筐体９０２は、たとえば真空カップ９０５によって浴槽の底に係留されることにより位置を固定されてよく、あるいは浴槽内の水に浮遊してよい。オン／オフスイッチ（不図示）は好適には、筐体９０２の側面に取り付けられる。幼児が操作可能なジョイスティック９１０は、筐体９０２に枢動可能に取り付けられ、水噴射発生アセンブリ９０４によって生じる、ここでは参照番号９１４で示す噴射の量、律動速度、および／または高さが、ジョイスティック９１０の方向の変化に伴って変化するように、噴射量制御弁（不図示）を制御する噴射量コントローラ（不図示）を操作する。
【０１２０】
水噴射発生アセンブリ９０４は、好適には筐体９０２の内側に取り付けられ、好適には、矢印９１５で示すように筐体９０２の外側から水を汲み上げる。図１６Ａ〜図１６Ｅに示す実施形態において、吸水口９２６を有する電池式水ポンプ９２５の放水口に、噴射量コントローラによって作動する噴射量制御弁を介して配管９２２によって連結されたノズル９２０から、好適には単一の水噴射９１４が供給され、それら全てが水噴射発生アセンブリ９０４の一部を形成する。たとえばＬＥＤ９２８などのランプは、好適には筐体９０２の周囲に配置される。
【０１２１】
また、筐体９０２内、好適には防水の囲い内に、好適には音響成分および可視成分を含むジョイスティック制御型マルチメディア出力を提供する電子モジュール９３０が配置される。電子モジュール９３０の簡略化された拡大図が図１６Ｇに示され、囲いは好適には底面カバー９３２および上面カバー９３４を含む。上面カバーは、スピーカ膜９３９によって被覆される、スピーカ９３８を取り付けるためのスピーカ収容部９３６を形成する。集積回路９４０は、ジョイスティック制御型マルチメディア出力を制御し、プリント回路基板９４２上に実装される。集積回路９４０は好適には、ジョイスティックの位置に基づいてジョイスティックで制御される噴射制御弁出力を供給する噴射量コントローラも含む。ジョイスティックで制御されるボタン９４４、手動制御可能な外部で使用できるオン／オフボタン９４６、および手動制御可能な外部で使用できる消音ボタン９４８は、プリント回路基板９４２上の回路と連動する。
【０１２２】
ここで、図１６Ａ〜図１６Ｇのジョイスティック操作型玩具の複数の典型的な操作方向が説明されるが、それらは単なる実例にすぎず、多様なマルチメディア出力がジョイスティックの適切な位置付けにより実現され得ることが理解される。
【０１２３】
図１６Ａは、好適にはオン／オフボタン９４６を押した結果生じる、オン状態にある図１６Ａ〜図１６Ｇの水上玩具を示す。ジョイスティック９１０は、中間の上下に軸支された操作方向にあり、中央を占める。この操作方向では、連続レベル噴射９１４、低レベル出力の光９２８、および低レベル音響出力が供給される。
【０１２４】
図１６Ｂもまた、好適にはオン／オフボタン９４６を押した結果生じる、オン状態にある図１６Ａ〜図１６Ｇの水上玩具を示す。ジョイスティック９１０は、矢印９５０で示すように上の位置で上下に軸支された操作方向にあり、中央を占める。この操作方向では、中間レベルの律動噴射９１４、低レベル出力の光９２８、および低レベル音響出力が供給される。
【０１２５】
図１６Ｃもまた、好適にはオン／オフボタン９４６を押した結果生じる、オン状態にある図１６Ａ〜図１６Ｇの水上玩具を示す。ジョイスティック９１０は、矢印９５２で示すように下の位置で上下に軸支された操作方向にあり、中央を占める。この操作方向では、高レベルの連続噴射９１４、低レベル出力の光９２８、および低レベル音響出力が供給される。
【０１２６】
図１６Ｄもまた、好適にはオン／オフボタン９４６を押した結果生じる、オン状態にある図１６Ａ〜図１６Ｇの水上玩具を示す。ジョイスティック９１０は、図１６Ｄの観点から、矢印９５４で示すように図１６Ａでの位置に対して左へ移動している。この操作方向では、低レベルの律動噴射９１４、低レベル出力の光９２８、および高レベル音響出力が供給される。
【０１２７】
図１６Ｅもまた、好適にはオン／オフボタン９４６を押した結果生じる、オン状態にある図１６Ａ〜図１６Ｇの水上玩具を示す。ジョイスティック９１０は、図１６Ｄの観点から、矢印９５６で示すように図１６Ａでの位置に対して右へ移動している。この操作方向では、低レベルの律動噴射９１４、高レベル出力の光９２８、および低レベル音響出力が供給される。
【０１２８】
ただし、オン／オフ機能は好適には、ジョイスティック９１０によって供給されるものではない。
【０１２９】
本発明の他の好適な実施形態によると、ジョイスティック９１０は排除され、集積回路９４０が、水噴射アセンブリの少なくとも１つの動作パラメータと時間協調してマルチメディア出力を供給することを特に含む１または複数の既定のプログラムに従ってマルチメディア出力および／または水噴射出力を供給してよい。
【０１３０】
ここで、本発明の他の好適な実施形態に従って構成され動作可能な固定式可変噴射水上玩具システムの２つの操作方向の簡略化された立体図である図１７Ａおよび図１７Ｂ、および図１７Ａの断面線Ｃ〜Ｃに沿って示される、図１７Ａおよび図１７Ｂの可変噴射水上玩具システムの一部を形成するベースユニットの簡略化された断面図である図１７Ｃが参照される。
【０１３１】
図１７Ａ〜図１７Ｃに示すように、水噴射発生アセンブリ１０１０を収容する中央部１００４を含む筐体１００２を含む、好適には風呂用玩具である、水遊び空間仕切り型係留式可変噴射水上玩具システム１０００が供給され、そこから中央部は、上向き噴射１０１６が生じるノズル１０１４を各々が終端とする複数のほぼ径方向に伸長する導管１０１２を突き出す。ノズル１０１４は、矢印１０１８で示すように、接線方向の噴射であってよい、ノズル１０１４の平面における非径方向分力を少なくとも有する水噴射も供給する。非径方向の水噴射１０１８は、それらの内側に水遊び空間１０２２を形成する。
【０１３２】
水遊び空間１０２２は好適には、水で満たされた浴槽領域１０２４内に設けられ、水で満たされた浴槽領域１０２４の他の部分から独立したエリアとなるように好適に構成された、ほぼ円形の環状空間の形状であってよい。
【０１３３】
ノズル１０１４の各々は、中央を占めるほぼ垂直な水噴射１０１６を水遊び空間１０２２内に発生させ、図８Ｄを参照して例が上述された少なくとも１つ、好適には数個の、たとえばアヒル玩具１０３０など装飾的な沈まず傾かない浮遊性物体は、水遊び空間１０２２内の水に浮遊するように構成される。
【０１３４】
図示した実施形態において、水遊び空間１０２２を形成する水上玩具システム１０００は、たとえば吸盤１０３２によって浴槽の側面に係留されることによって位置を固定されてよく、あるいは浴槽内の水に浮遊してよい。この実施形態において、水遊び空間１０２２を形成する噴射１０１８は、図１Ａおよび図１Ｂの実施形態に示す水空間仕切り部の機能と同様の機能を供給し、装飾的な浮遊性要素の移動範囲を所望の水遊び空間内、好適には子供の面前に制限する。
【０１３５】
各ノズル１０１４は、吸水口１０２６を有する電池式水ポンプ１０２５の放水口に導管１０１２によって連結され、それら全てが水噴射発生アセンブリ１０１０の一部を形成する。水は好適には、矢印１０２８で示すように、筐体１００２の下側で浴槽から汲み上げられる。
【０１３６】
図１７Ａ〜図１７Ｃの実施形態において、水噴射発生アセンブリ１０１０および特にノズル１０１４は各々が、水噴射発生アセンブリ１０１０のノズル１０１４と係合して水噴射を受けるように選択的に載置することができ、その少なくとも第１の位置で受ける第１の空間構成を有する単一の垂直な水噴射１０１６を、第１の空間構成とは異なるその少なくとも第２の位置で放出される第２の空間構成を有する水噴射１０４０に変換するように機能する、たとえばアヒル玩具１０３０など複数の互いに異なって装飾的な沈まず傾かない浮遊噴射変調物体の１つを、ノズル１０１４との係合において選択的に受けるように構成される。そのような、たとえばアヒル玩具１０３０など互いに異なって装飾的な沈まず傾かない浮遊噴射変調物体の好適な実施形態は、図８Ｄを参照して上述され、様々なそのような物体は好適には、各々が異なる構成の出口噴射を有することが理解される。
【０１３７】
たとえばアヒル玩具１０３０などの噴射変調物体に特有の特徴は、それらの装飾的形状および出力噴射構成に関わらず、浮遊し、傾かず、沈まないことである。これらの特性は、それらの遊戯価値を維持するものであり、少なくとも１つ、好適には複数の、たとえばガスまたは独立気泡プラスチック材料などの浮力材で充填された容積を設けた結果得られる。
【０１３８】
ここで、本発明のさらに追加の代替実施形態に従って構成され動作可能な水上玩具のそれぞれ簡略化された立体図および断面機能図である図１８Ａおよび図１８Ｂが参照され、図１８Ｂは、図１８Ａの直線Ｂ〜Ｂに沿って示される。
【０１３９】
図１８Ａおよび図１８Ｂに示すように、公称水線１１０５を有する水で満たされた浴槽１１０４内に設けられ、水で満たされた浴槽１１０４内に水遊び空間１１０６を形成するように好適に構成された、好適には風呂用玩具である水上玩具システム１１００が供給される。
【０１４０】
水噴射発生アセンブリ１１１０は好適には、複数のほぼ径方向に向けられた導管１１１２によって複数のノズル１１１４に連結され、ノズル１１１４の各々は、水遊び空間１１０６内に少なくとも１つの水噴射を発生させ、少なくとも１つ、好適には数個の、たとえばボート玩具１１１６など装飾的な沈まず傾かない浮遊性物体は、水遊び空間１１０６内の水に浮遊するように構成される。
【０１４１】
水噴射発生アセンブリ１１１０はノズル１１１４の中央に設けられ、好適には、矢印１１２０で示すように水遊び空間１１０６の下側から水を汲み上げ、矢印１１２２で示すように水遊び空間１１０６内に水を噴射する。図１Ａおよび図１Ｂに示す実施形態において、導管１１１２によって電池式水ポンプ１１２４の放水口に連結された複数のノズル１１１４によって複数の水噴射が供給される。
【０１４２】
本発明のこの実施形態に特有の特徴は、ノズル１１１４の少なくともいくつかが、矢印１１２２で示すように接線方向の噴射であってよい、ノズル１１１４およびボート１１１６の平面における非径方向分力を少なくとも有する水噴射を供給することである。ここでは、この水噴射は水遊び空間１１０６の水線１１２６より上にあり、たとえばボート玩具１１１６などの装飾的な浮遊性物体に衝突することによって、好適にはそれらを、矢印１１２２で示す噴射によって形成される進路に沿って矢印１１３２で示すほぼ円形の動きで動かすことが示される。矢印１１２２で示す非径方向の噴射の反力によって、水上玩具システムの他の部分は矢印１１３４で示す方向へ回転する。
【０１４３】
図示するように、玩具が自由に浮遊している場合、矢印１１３２および矢印１１３４で示すような、たとえばボート玩具１１１６などの装飾的な浮遊性物体と玩具システムの他の部分との相反する回転は、矢印１１２２に沿った噴射が供給される限り継続し得る。しかし、ボート１１１６以外の玩具が係留されている場合、最終的に、玩具の回転の結果生じる係留具の逆トルクによって回転は停止し、逆方向への回転が開始する。この玩具の逆回転は、矢印１１２２に沿った噴射によってたとえばボート玩具１１１６などの物体に加えられる回転力を増加させる。玩具の逆回転は、矢印１１３４で示すような玩具の回転が再開する閾値をトルクが下回るまで継続する。この周期的な回転運動は、矢印１１２２に沿った非径方向の噴射が供給される限り継続する。
【０１４４】
あるいは、矢印１１２２に沿った噴射は、水面下での同じ方向への前向き水流によって代替されてよく、その場合も上述したものとほぼ同じ効果が得られることが理解される。
【０１４５】
ここで、本発明のさらに追加の代替実施形態に従って構成され動作可能な水上玩具のそれぞれ簡略化された立体図である図１９および図１９Ｂ、および図１９Ｂの断面線Ｃ〜Ｃに沿って示される、図１９Ａおよび図１９Ｂの可変噴射水上玩具システムの一部を形成するベースユニットの簡略化された断面図である図１９Ｃが参照される。
【０１４６】
図１９Ａ〜図１９Ｃに示すように、公称水線１２０５を有する水で満たされた浴槽領域１２０４内に設けられ、水で満たされた浴槽領域１２０４の他の部分から独立した少なくとも部分的に水で満たされた水遊び空間１２０６を形成するように好適に構成された、好適には一般的なボウル１２０２の形状である水遊び区間仕切り部を含む、好適には風呂用玩具である水上玩具システム１２００が供給される。
【０１４７】
水噴射発生アセンブリ１２１０は、水遊び空間１２０６内に、少なくとも１つ、好適には２つの加圧された水噴射および／または水流を発生させ、少なくとも１つ、好適には数個のたとえばボート玩具１２１２などの装飾的な浮遊性要素は、水遊び空間１２０６内の水に浮遊するように構成される。
【０１４８】
図示した実施形態において、水空間仕切り部は、所望の任意の適切な形状の凹型囲い、すなわちボウル１２０２であってよい。水空間仕切り部は、好適には浴槽領域１２０４内の水に自由に浮遊する。水空間仕切り部の主な機能は、装飾的な浮遊性要素の移動範囲を所望の水遊び空間内、好適には子供の面前に制限することである。水空間仕切り部の他の機能は、水遊び空間１２０６内に比較的穏やかな水面を形成することである。この実施形態において、仕切り部の追加の機能は、水遊び空間１２０６の水線１２１５が浴槽領域１２０４の水線１２０５から切り離され、水線１２０５より上または下にあってよいように、浴槽領域１２０４の高さを上回る高さまで水遊び空間１２０６の少なくとも一部を持ち上げることである。図示した実施形態において、水線１２１５は水線１２０５より上にあることが示される。
【０１４９】
水噴射発生アセンブリ１２１０は好適には、仕切り部１２０２と一体に形成され、仕切り部の下側かつ中央に設けられる。水噴射発生アセンブリ１２１０は好適には、矢印１２２４で示すように、水遊び空間１２０６の外側かつ仕切り部の下側から吸水口１２１６を介して水を汲み上げ、矢印１２２６で示すように、仕切り部によって形成されたほぼ円形のエリアに正接してよい非径方向に、２つの加圧された水流を水線１２１５より下で水遊び空間１２０６内に向け、それによって好適には循環水流が生じ、好適には間欠的にボート玩具１２１２の各々の水面下部分に衝突することによって、ボート玩具１２１２を無限循環ループで動かす。
【０１５０】
図１９Ａ〜図１９Ｃに示す実施形態において、好適には、矢印１２２６で示す水流はノズル１２３０から噴出し、ノズル１２３０は、吸水口１２１６を介して水を受け入れる電池式水ポンプ１２３６の放水口１２３４に配管１２３２によって連結され、それら全ては水噴射発生アセンブリ１２１０の一部を形成するものであり、たとえばボート玩具１２１２などの装飾的な浮遊性要素を無限ループの動きで動かすために、矢印１２４０で示すように無限ループの水流を発生させる。
【０１５１】
図１９Ａ〜図１９Ｃの実施形態において、水遊び空間１２０６は、ボウル１２０２によってエリアおよび深さが定められる。水遊び空間１２０６は、浴槽領域１２０４の水線１２０５より上かつ水遊び空間１２０６の水線１２１５より上、好適には、ここでは参照番号１２４４で示す仕切り部の上面が達する高さまで及ぶと考えられ得る。あるいは水遊び空間は、高さ１２４４を超えて、たとえばボート玩具１２１２などの浮遊性要素が届く最大高さまで及ぶとも考えられ得る。
【０１５２】
図示した実施形態において、水空間仕切り部は、完全に自由に浮遊してよく、あるいは回転することはできるが浴槽内の所与の概位置から動かないように、係留されつつ浮遊してもよい。
【０１５３】
本発明のこの実施形態に特有の特徴は、ノズル１２１４の少なくともいくつかが、矢印１２２６で示すように接線方向分力であってよい、仕切り部の平面における非径方向分力を少なくとも有する水噴射を供給することである。ここでは水噴射は、水遊び空間１２０６の水線１２１５より上にあり、たとえばボート玩具１２１２などの装飾的な浮遊性物体に衝突することによって、好適にはそれらを、矢印１２２６で示す噴射および仕切り部によって形成される進路に沿って矢印１２４０で示すほぼ円形の動きで動かすことが示される。矢印１２２６で示す好適には接線方向の噴射の反力によって、仕切り部を含む水上玩具システムの他の部分は矢印１２５２で示す方向へ回転する。
【０１５４】
仕切り部が自由に浮遊している場合、矢印１２４０および矢印１２５２で示す、たとえばボート玩具１２１２などの装飾的な浮遊性物体と玩具システムの他の部分との相反する回転は、矢印１２２６に沿った噴射が供給される限り継続し得る。しかし仕切り部が係留されている場合、最終的に、仕切り部の回転の結果生じる係留具の逆トルクによって、回転は停止し、逆方向への回転が開始する。この仕切り部の逆回転は、矢印１２２６に沿った噴射によってたとえばボート玩具１２１２などの物体に加えられる回転力を増加させる。仕切り部の逆回転は、矢印１２５２で示すような仕切り部の回転が再開する閾値をトルクが下回るまで継続する。この周期的な回転運動は、矢印１２２６に沿った非径方向の噴射が供給される限り継続する。
【０１５５】
あるいは、矢印１２２６に沿った噴射は、水面下での同じ方向への前向き水流によって代替されてよく、その場合も上述したものとほぼ同じ効果が得られることが理解される。
【０１５６】
図１９Ａ〜図１９Ｃの実施形態において、水噴射発生アセンブリ１２１０は好適には、ノズル１２６２からほぼ垂直な噴射１２６０も供給する。ノズル１２６２は好適には、水噴射発生アセンブリ１２１０のノズル１２６２と係合して水噴射を受けるように選択的に載置することができ、その少なくとも第１の位置で受ける第１の空間構成を有する垂直な水噴射１２６０を、第１の空間構成とは異なるその少なくとも第２の位置で放出される第２の空間構成を有する水噴射１２６４に変換するように機能する、たとえばボート玩具１２１２など複数の互いに異なって装飾的な沈まず傾かない浮遊噴射変調物体の１つを、ノズル１２６２との係合において選択的に受けるように構成される。そのような、たとえばボート玩具１２１２など互いに異なって装飾的な沈まず傾かない浮遊噴射変調物体の好適な実施形態は、装飾的な特徴を除いて、図８Ａ〜図９Ｃを参照して上述したアヒル玩具５３０の実施形態と基本的に同様であり、様々なそのような物体は好適には、各々が異なる構成の出口噴射を有することが理解される。
【０１５７】
たとえばボート玩具１２１２などの噴射変調物体に特有の特徴は、それらの装飾的形状および出力噴射構成に関わらず、浮遊し、傾かず、沈まないことである。これらの特性は、それらの遊戯価値を維持するものであり、少なくとも１つ、好適には複数の、たとえばガスまたは独立気泡プラスチック材料などの浮力材で充填された容積を設けた結果得られる。
【０１５８】
ここで、本発明の実施形態に従って構成され動作可能なマルチメディアジョイスティック制御型水上玩具の４つの操作方向の簡略化された立体図である図２０Ａ、図２０Ｂ、図２０Ｃ、および図２０Ｄ、図２０Ａ〜図２０Ｄのマルチメディアジョイスティック制御型水上玩具の簡略化された部分断面表現図である図２０Ｅ、および図２０Ａ〜図２０Ｅのマルチメディアジョイスティック制御型水上玩具の部品の簡略化された拡大図である図２０Ｆが参照される。
【０１５９】
図２０Ａ〜図２０Ｅに示すように、水噴射発生アセンブリ１３０４を収容する装飾的な筐体１３０２を含む、好適には風呂用玩具であるジョイスティック操作型水上玩具システム１３００が供給され、水噴射発生アセンブリ１３０４は、好適にはボウル１３０５の形状である水遊び空間仕切り部によって形成される水遊び空間内に垂直な水噴射を発生させる。図示した実施形態において、筐体１３０２は、所望の任意の適切な形状であってよい。筐体１３０２は、たとえば真空カップ１３０６によって浴槽の底に係留されることによって位置を固定されてよく、あるいは浴槽内の水に浮遊してよい。オン／オフスイッチ１３０７および消音スイッチ１３０８は、好適には筐体１３０２の側面に取り付けられる。幼児が操作可能なジョイスティック１３１０は、筐体１３０２に枢動可能に取り付けられ、水噴射発生アセンブリ１３０４によって生じる、ここでは参照番号１３１４で示す噴射の量、律動速度、および／または高さが、ジョイスティック１３１０の方向の変化に伴って変化するように、噴射量制御弁（不図示）の噴射量コントローラ（不図示）を操作する。噴射の量および／または高さを制御する際のジョイスティック１３１０の構造および操作は、図１６Ａ〜図１６Ｇを参照して上述されたものと同様または同一であってよい。
【０１６０】
水噴射発生アセンブリ１３０４は、好適には筐体１３０２の内側に取り付けられ、好適には矢印１３１５で示すように筐体１３０２の外側から水を汲み上げる。図２０Ａ〜図２０Ｆに示す実施形態において、吸水口１３２６を有する電池式水ポンプ１３２５の放水口に、噴射量コントローラによって作動する噴射量制御弁を介して配管１３２２によって連結されたノズル１３２０から、好適には単一の水噴射１３１４が供給され、それら全てが水噴射発生アセンブリ１３０４の一部を形成する。
【０１６１】
好適には、同一のまたは異なる噴射量コントローラによって作動する同一のまたは異なる噴射量制御弁を介して配管１３２２によって電池式水ポンプ１３２５の放水口に連結されたノズル１３２９から、ボウル１３０５上に、第２の接線方向の噴射１３２８が供給される。この接線方向の噴射１３２８は好適には、矢印１３３２で示すように、ボウル１３０５内での継続的なループ運動で、たとえばアヒル玩具１３３０などの複数の沈まず傾かない浮遊性物体を動かす。アヒル玩具１３３０は、図８Ａ〜図８Ｄを参照して上述されたように構成され動作可能であってよい。
【０１６２】
また、筐体１３０２内、好適には防水の囲い内に、好適には音響成分および可視成分を含むジョイスティック制御型マルチメディア出力を供給する電子モジュール１３４０も配置される。電子モジュール１３４０の簡略化された拡大図が図２０Ｆに示され、囲いは好適には底面カバー１３４２および上面カバー１３４４を含むことが示される。上面カバーは、スピーカ膜１３４９によって被覆される、スピーカ１３４８を取り付けるためのスピーカ収容部１３４６を形成する。集積回路１３５０は、ジョイスティック制御型マルチメディア出力を制御し、プリント回路基板１３５２上に実装される。集積回路９４０は好適には、ジョイスティックの位置に基づいてジョイスティック制御型噴射制御弁出力を供給する噴射量コントローラも含む。ジョイスティックで制御されるボタン１３５４、手動制御可能な外部で使用できるオン／オフボタン１３５６、および手動制御可能な外部で使用できる消音ボタン１３５８は、プリント回路基板１３５２上の回路と連動する。
【０１６３】
ここで、図２０Ａ〜図２０Ｆのジョイスティック操作型玩具の複数の典型的な操作方向が説明されるが、それらは単なる実例にすぎず、ジョイスティックの適切な位置付けによって多様なマルチメディア出力が実現され得ることが理解される。
【０１６４】
図２０Ａは、好適にはオン／オフボタン１３０７を押した結果生じる、オン状態にある図２０Ａ〜図２０Ｆの水上玩具を示す。ジョイスティック１３１０は第１の操作方向にあり、中央を占める。この操作方向において、単一の垂直な連続噴射１３１４、接線方向の連続噴射１３２８、および音響出力が供給される。
【０１６５】
図２０Ｂは、図２０Ａと同じジョイスティック配置を有する図２０Ａ〜図２０Ｆの水上玩具を示すが、ここではアヒル玩具１３３０の１つがノズル１３２０の上に載置されて動作可能に係合しており、図８Ａ〜図８Ｄを参照して上述したように変えられた噴射出力を供給する。
【０１６６】
図２０Ｃは、好適にはオン／オフボタン１３０７を押した結果生じる、オン状態にある図２０Ａ〜図２０Ｆの水上玩具を示す。ジョイスティック１３１０は、矢印１３６０で示すように図２０Ａの方向に対して左に回転した第２の操作方向にある。この操作方向において、単一の垂直な律動噴射１３１４、接線方向の律動噴射１３２８、および音響出力が供給される。
【０１６７】
図２０Ｄは、図２０Ｃと同じジョイスティック配置を有する図２０Ａ〜図２０Ｆの水上玩具を示すが、ここではアヒル玩具１３３０の１つがノズル１３２０の上に載置されて係合しており、図８Ａ〜図８Ｄを参照して上述したように変えられた噴射出力を供給する。
【０１６８】
ただし、オン／オフ機能は好適には、ジョイスティック１３１０によって供給されるものではない。
【０１６９】
ここで、本発明の実施形態に従って構成され動作可能なジョイスティック操作型浮遊水上玩具の４つの操作方向の簡略化された立体図である図２１Ａ、図２１Ｂ、図２１Ｃ、および図２１Ｄ、第１の操作方向にあり図２１Ｃの直線Ｅ〜Ｅに沿って示される、図２１Ａ〜図２１Ｄのマルチメディアジョイスティック制御型水上玩具の簡略化された断面図である図２１Ｅ、および第２の操作方向にあり図２１Ｃの直線Ｆ〜Ｆに沿って示される、図２１Ａ〜図２１Ｄのマルチメディアジョイスティック制御型水上玩具の簡略化された断面図である図２１Ｆが参照される。
【０１７０】
図２１Ａ〜図２１Ｆに示すように、公称水線１４０５を有する水で満たされた浴槽領域１４０４内に設けられ、水で満たされた浴槽１４０４の他の部分から独立した少なくとも部分的に水で満たされた水遊び空間１４０６を形成するように好適に構成された、好適には一般的なボウル１４０２の形状である水遊び空間仕切り部を含む、好適には風呂用玩具である水上玩具システム１４００が供給される。
【０１７１】
水噴射発生アセンブリ１４１０は、水遊び空間１４０６内に、少なくとも１つ、好適には２つの加圧された水噴射および／または水流を発生させ、少なくとも１つ、好適には数個のたとえばボート玩具１４１２などの装飾的な浮遊性要素は、水遊び空間１４０６内の水に浮遊するように構成される。
【０１７２】
図示した実施形態において、水空間仕切り部は、所望の任意の適切な形状の凹型囲い、すなわちボウル１４０２であってよい。水空間仕切り部は好適には、浴槽領域１４０４内の水に自由に浮遊する。水空間仕切り部の主な機能は、装飾的な浮遊性要素の移動範囲を所望の水遊び空間内、好適には子供の面前に制限することである。水空間仕切り部の他の機能は、水遊び空間１４０６内に比較的穏やかな水面を形成することである。この実施形態において、仕切り部の追加の機能は、水遊び空間１４０６の水線１４１５が浴槽領域１４０４の水線１４０５から切り離され、水線１４０５より上または下にあってよいように、浴槽領域１４０４の高さを上回る高さまで水遊び空間１４０６の少なくとも一部を持ち上げることである。図示した実施形態において、水線１４１５は、水線１４０５より上にあることが示される。
【０１７３】
水噴射発生アセンブリ１４１０は好適には、仕切り部１４０２と一体に形成され、仕切り部１４０２の下側かつ中央に設けられる。水噴射発生アセンブリ１４１０は好適には、矢印１４２４で示すように、水遊び空間１４０６の外側かつ仕切り部の下側から吸水口１４１６を介して水を汲み上げ、矢印１４２６で示すように、仕切り部によって形成されるほぼ円形のエリアに正接してよい非径方向で、２つの加圧された水流を水線１４１５より下で水遊び空間１４０６内に向け、それによって好適には循環水流が生じ、ボート玩具１４１２の各々の水面下部分に好適には間欠的に衝突し、ボート玩具１４１２を無限循環ループで動かす。
【０１７４】
図２１Ａ〜図２１Ｆに示す実施形態において、好適には、矢印１４２６で示す水流は、吸水口１４１６を介して水を受け入れる電池式水ポンプ１４３６の放水口１４３４に配管１４３２によって連結されたノズル１４３０から噴出し、それら全ては水噴射発生アセンブリ１４１０の一部を形成するものであり、それによって、たとえばボート玩具１４１２など装飾的な浮遊性要素を無限ループの動きで動かすための矢印１４４０で示すような無限ループの水流が生じる。
【０１７５】
図２１Ａ〜図２１Ｆの実施形態において、水遊び空間１４０６は、ボウル１４０２によってエリアおよび深さを定められる。水遊び空間１４０６は、浴槽領域１４０４の水線１４０５より上かつ水遊び空間１４０６の水線１４１５より上、好適には、ここでは参照番号１４４４によって示す、仕切り部の上面が達する高さまで及ぶと考えられ得る。あるいは水遊び空間は、高さ１４４４を超えて、たとえばボート玩具１４１２などの浮遊性要素が到達する最大高さまで及ぶとも考えられ得る。
【０１７６】
図示した実施形態において、水空間仕切り部は、完全に自由に浮遊してよく、あるいは、回転することはできるが浴槽内の所与の概位置からは移動しないように係留されつつ浮遊してもよい。
【０１７７】
本発明のこの実施形態に特有の特徴は、ノズル１４３０の少なくともいくつかが、矢印１４２６で示すように、接線方向分力であってよい仕切り部の平面における非径方向分力を少なくとも有する水噴射を供給することである。ここでは、この水噴射は水遊び空間１４０６の水線１４１５より上に設けられ、たとえばボート玩具１４１２など装飾的な浮遊性物体に衝突することよって、好適にはそれらを、矢印１４２６で示す噴射および仕切り部によって形成される進路に沿って矢印１４４０で示すほぼ円形の動きで動かすことが示される。矢印１４２６で示す好適には接線方向の噴射の反力によって、仕切り部を含む水上玩具システムの他の部分は矢印１４５２で示す方向へ回転する。
【０１７８】
仕切り部が自由に浮遊する場合、矢印１４４０および矢印１４５２で示す、たとえばボート玩具１４１２など装飾的な浮遊性物体と玩具システムの他の部分との相反する回転は、矢印１４２６に沿った噴射が供給される限り継続し得る。しかし、仕切り部が係留されている場合、最終的に、仕切り部の回転の結果生じる係留具の逆トルクによって仕切り部の回転は停止し、逆方向への回転が開始する。この仕切り部の逆回転は、矢印１４２６に沿った噴射によってたとえばボート玩具１４１２などの物体に加えられる回転力を増加させる。仕切り部の逆回転は、矢印１４５２で示すような仕切り部の回転が再開する閾値をトルクが下回るまで継続する。この周期的な回転運動は、矢印１４２６に沿った非径方向の噴射が供給される限り継続する。
【０１７９】
あるいは、矢印１４２６に沿った噴射は、同じ方向の水面下での前向き水流に代替されてよく、その場合も上述したものとほぼ同じ効果が得られることが理解される。
【０１８０】
図２１Ａ〜図２１Ｆの実施形態において、水噴射発生アセンブリ１４１０は好適には、ノズル１４６２からほぼ垂直な噴射１４６０も供給する。ノズル１４６２は好適には、水噴射発生アセンブリ１４１０のノズル１４６２と係合して水噴射を受けるように選択的に載置することができ、その少なくとも第１の位置で受ける第１の空間構成を有する垂直な水噴射１４６０を、上記第１の空間構成とは異なるその少なくとも第２の位置で放出される第２の空間構成を有する水噴射１４６４に変換するように機能する、たとえばボート玩具１４１２など複数の互いに異なって装飾的な沈まず傾かない浮遊噴射変調物体の１つを、ノズル１４６２との係合において選択的に受けるように構成される。そのような、たとえばボート玩具１４１２など互いに異なって装飾的な沈まず傾かない浮遊噴射変調物体は、装飾的形状を除き、図８Ａ〜図９Ｃを参照して上述されたアヒル玩具５３０の実施形態と基本的に同様であってよく、様々なそのような物体は、好適には各々が異なる構成の出口噴射を有することが理解される。
【０１８１】
たとえばボート玩具１４１２などの噴射変調物体に特有の特徴は、それらの装飾的形状および出力噴射構成に関わらず、浮遊し、傾かず、沈まないことである。これらの特性は、それらの遊戯価値を維持するものであり、少なくとも１つ、好適には複数の、たとえばガスまたは独立気泡プラスチック材料などの浮力材で充填された容積を設けた結果得られる。
【０１８２】
幼児が操作可能なジョイスティック１４７０は、仕切り部１４０２上に枢動可能に取り付けられ、ジョイスティック１４７０の方向の変化が様々な噴射オプションを供給するために用いられ得るように噴射コントローラ（不図示）を操作する。たとえば図２１Ａに示すように、ジョイスティック１４７０は、矢印で示すように、図２１Ａの観点から、直立した方向である第１のほぼ垂直な操作方向にある。この操作方向において、噴射は供給されず、非径方向の水流のみが供給され、それによって、ボート玩具１４１２の第１の回転方向への動き、およびそれに伴う仕切り部の第２の回転方向への回転が生じる。
【０１８３】
図２１Ｂに示すように、ジョイスティック１４７０が第２の位置にある場合、ほぼ垂直な噴射のみが供給され、ボート玩具１４１２または仕切り部のいずれも回転運動を起こさない。図２１Ｂに示す実施形態において、ボート玩具１４１２の１つは、ノズル１４６２の上に載置されて動作可能に係合しており、矢印１４６４で示すように変えられた噴射出力を供給する。図２１Ｃおよび図２１Ｅ〜図２１Ｆにおいて、ジョイスティック１４７０が第３の位置にある場合、図２１Ａおよび図２１Ｂの例における噴射の全てが同時に供給される。また、図２１Ｃに示す実施形態において、ボート玩具１４１２の１つがノズル１４６２の上に載置されて動作可能に係合しており、矢印１４６４で示すように変えられた噴射出力を供給する。
【０１８４】
図２１Ｄは、図２１Ｂに示すような第２の位置にあるジョイスティック１４７０を示し、ここでは中央を占める垂直な噴射１４６０のみが供給される。
【０１８５】
ただし、オン／オフ機能は、好適にはジョイスティック１４７０によって供給されるものではなく、好適にはオン／オフボタン１４８０によって供給される。
【０１８６】
ここで、図８Ａ〜図８Ｃ、図９Ａ〜図９Ｃ、図１０Ａ〜図１０Ｃ、図１１Ａ〜図１１Ｃ、図１７Ａ〜図１７Ｃ、図１９Ａ〜図１９Ｃ、図２０Ａ〜図２０Ｆ、および図２１Ａ〜図２１Ｆの実施形態において有用な装飾的な自走回転物体を示す図２２Ａ、図２２Ｂ、および図２２Ｃが参照され、図２２Ｂおよび図２２Ｃは、図２２Ａの断面線Ｂ〜ＢおよびＣ〜Ｃにそれぞれ沿って示される断面図である。
【０１８７】
図２２Ａ〜図２２Ｃに示すように、ここではアヒル１５００の形状である装飾的な自走回転噴射変調物体は、好適には、たとえばノズル４７２（図８Ａ〜図８Ｃ）などのノズルと回転可能に嵌合するように構成された底面１５０４、およびたとえばノズル４７２の噴射出口開口部４７０（図８Ａ〜図８Ｃ）などの噴射出口開口部内に挿入され、中を通る加圧された垂直上向きの水流を受け入れるように構成された導管１５０６を含む。導管１５０６は好適には、噴射出口開口部１５１２を有する放水口１５１０におけるそれらの上昇端１５０８を終端とする。導管１５０６は好適には、それぞれ非径方向に向けられた出口開口部１５１８および１５２０を終端とする一対の分岐１５１４および１５１６を有し、そこから、アヒル１５００の外周に正接する、それぞれ矢印１５２２および１５２４に沿った水噴射が生じ、それによってアヒル１５００は、好適にはアヒル１５００の対称軸である中心軸１５２６の周囲を回転する。
【０１８８】
たとえばアヒル１５００などの自走回転噴射変調物体は、それらの装飾的形状および出力噴射構成に関わらず、浮遊し、傾かず、沈まないものであってよい。これらの特性は、それらの遊戯価値を維持するものであり、少なくとも１つ、好適には複数の、好適には周方向に配置され密閉されたガス充填コンパートメント１５３０を設けた結果得られる。あるいは密閉されたガス充填コンパートメント１５３０は、浮遊性材料で満たされ、密閉される必要がないこともある。
【０１８９】
当業者は、本発明が、上記で特に説明され示されたものによって限定されないことを理解する。むしろ本発明の範囲は、上述された様々な特徴の組み合わせおよび部分的組み合わせ、ならびに上記説明を読了することにより当業者が思い至る、従来技術にはないそれらへの変形および変更の両方を含むものである。
【図１Ａ】
2017527316.tif 000003
【図１Ｂ】
2017527316.tif 000004
【図２Ａ】
2017527316.tif 000005
【図２Ｂ】
2017527316.tif 000006
【図３Ａ】
2017527316.tif 000007
【図３Ｂ】
2017527316.tif 000008
【図４Ａ】
2017527316.tif 000009
【図４Ｂ】
2017527316.tif 000010
【図５Ａ】
2017527316.tif 000011
【図５Ｂ】
2017527316.tif 000012
【図６Ａ】
2017527316.tif 000013
【図６Ｂ】
2017527316.tif 000014
【図７Ａ−７Ｃ】
2017527316.tif 000015
【図７Ｄ】
2017527316.tif 000016
【図７Ｅ】
2017527316.tif 000017
【図７Ｆ】
2017527316.tif 000018
【図８Ａ−８Ｂ】
2017527316.tif 000019
【図８Ｃ】
2017527316.tif 000020
【図８Ｄ】
2017527316.tif 000021
【図９Ａ−９Ｂ】
2017527316.tif 000022
【図９Ｃ】
2017527316.tif 000023
【図１０Ａ−１０Ｂ】
2017527316.tif 000024
【図１０Ｃ】
2017527316.tif 000025
【図１１Ａ−１１Ｂ】
2017527316.tif 000026
【図１１Ｃ】
2017527316.tif 000027
【図１２Ａ】
2017527316.tif 000028
【図１２Ｂ】
2017527316.tif 000029
【図１３Ａ】
2017527316.tif 000030
【図１３Ｂ】
2017527316.tif 000031
【図１４Ａ】
2017527316.tif 000032
【図１４Ｂ】
2017527316.tif 000033
【図１５Ａ】
2017527316.tif 000034
【図１５Ｂ】
2017527316.tif 000035
【図１６Ａ】
2017527316.tif 000036
【図１６Ｂ】
2017527316.tif 000037
【図１６Ｃ】
2017527316.tif 000038
【図１６Ｄ】
2017527316.tif 000039
【図１６Ｅ】
2017527316.tif 000040
【図１６Ｆ】
2017527316.tif 000041
【図１６Ｇ】
2017527316.tif 000042
【図１７Ａ】
2017527316.tif 000043
【図１７Ｂ】
2017527316.tif 000044
【図１７Ｃ】
2017527316.tif 000045
【図１８Ａ】
2017527316.tif 000046
【図１８Ｂ】
2017527316.tif 000047
【図１９Ａ−１９Ｂ】
2017527316.tif 000048
【図１９Ｃ】
2017527316.tif 000049
【図２０Ａ−２０Ｂ】
2017527316.tif 000050
【図２０Ｃ−２０Ｄ】
2017527316.tif 000051
【図２０Ｅ】
2017527316.tif 000052
【図２０Ｆ】
2017527316.tif 000053
【図２１Ａ．２１Ｃ】
2017527316.tif 000054
【図２１Ｂ．２１Ｄ】
2017527316.tif 000055
【図２１Ｅ】
2017527316.tif 000056
【図２１Ｆ】
2017527316.tif 000057
【図２２Ａ】
2017527316.tif 000058
【図２２Ｂ】
2017527316.tif 000059
【図２２Ｃ】
2017527316.tif 000060
【国際調査報告】
2017527316.tif 000061
2017527316.tif 000062